(57)【要約】【課題】情報利用者が商品や広告物などの有体物に関連した情報を得たいとした場合に、その情報を一瞬にして電子的に記録できるようにすると共に、その情報を処理できるようにする。【解決手段】電磁気的又は光学的に情報が読出し可能であって、当該有体物２に関連した情報を提供するために任意の有体物２に取り付けられた情報提供電子部品１１と、この情報提供電子部品１１から電磁気的又は光学的に情報を読み取って記録する情報読取機能付きの携帯端末装置３０と、この携帯端末装置３０に記録された情報を読み出して処理する情報処理装置５とを備えるものである。【選択図】図１
2010238252.tif 000002
【特許請求の範囲】
【請求項１】
任意の有体物に取り付けられた情報提供媒体から情報を取得して処理する携帯端末であって、
前記情報提供媒体と所定距離内に近接されると前記情報提供媒体から前記有体物に関連した情報を電磁気的に取得する情報取得手段と、
前記情報取得手段により取得された情報を記憶する記憶手段と、
を備える、携帯端末。
【発明の詳細な説明】
【技術分野】
【０００１】
本発明は、電子広告システムや、商品販売システム、商品情報提供システム、食品情報提供システム、記録メディア情報提供システム、商品真偽判別システムなどに適用して好適な情報処理システム、携帯電話機及び情報処理方法に関する。詳しくは、商品や広告物などの任意の有体物に情報提供媒体を取り付け、個々の情報利用者に情報読取機能付きの携帯端末装置を所持させ、その情報利用者がその有体物に関連した情報を得たいとした場合に、その情報を一瞬にして携帯端末装置内に電子的に記憶できるようにすると共に、携帯端末装置から情報処理装置へ情報を読み出せるようにして、その有体物に関連した情報を情報処理装置で処理できるようにしたものである。通信装置、通信方法、及び通信システムに関する。
【背景技術】
【０００２】
従来から、駅のコンコースに行楽地案内、求人案内及び催し物案内などのポスターが掲載されたり、電車内にこれらの吊り下げ広告が掲載される場合が多い。これらのポスターや吊り下げ広告を見て、興味ある広告物の連絡先などを入手しようとした場合に、一般に暗記による他、通常、紙と筆記具を使用してその情報を写し撮るようになされる場合が多い。この際に、情報量が多いとそれだけ写し撮りに時間を要することとなる。
【発明の開示】
【発明が解決しようとする課題】
【０００３】
ところで、従来方式の情報処理方法によれば、広告物をじっくりと見ていられないような場合、例えば、通勤途中に駅のコンコースで通りすがりに、興味ある広告物を見た場合に、その広告物に関連した住所や連絡先などの情報は筆記により写し撮らなくはならず、そのメモ処理が非常に煩わしい。特に、その広告物に関連した掲載企業へ直接インターネットを通してアクセスするために準備された電子メールアドレスは、ローマ字や記号が３０文字乃至５０字にも及ぶので一度に正確に暗記することはかなり困難である。因みに、せっかく写し撮ったメモを無くしてしまったときは、再度、そこに赴いて同じ情報をその広告物（以下で有体物という）から写し撮らなくてはならないという問題がある。
【０００４】
また、著名となった、ハンドバックや、カバン、靴などのいわゆるブランド商品とその偽ブランド商品とを見分ける場合が生じたとき、その縫い方や、ボタンなどが本物か偽物かを判別するようになされるが、その見分け方には相当な高度の技術が必要である。従って、情報処理技術が進む中で、何らの処理を施さないままでは、ますます、真性商品製造者の被害が相当高額になるという問題がある。
【０００５】
そこで、この発明はこのような従来の課題を解決したものであって、情報利用者が商品や広告物などの有体物に関連した情報を得たいとした場合に、その情報を一瞬にして電子的に記録できるようにすると共に、その情報を処理できるようにした情報処理システム、携帯電話機及び情報処理方法を提供することを目的とする。
【課題を解決するための手段】
【０００６】
上述した課題は、電磁気的又は光学的に情報が読出し可能であって、当該有体物に関連した情報を提供するために任意の有体物に取り付けられた情報提供媒体と、この情報提供媒体から電磁気的又は光学的に情報を読み取って記録する情報読取機能付きの携帯端末装置と、この携帯端末装置に記録された情報を読み出して処理する情報処理装置とを備えることを特徴とする情報処理システムによって解決する。
【０００７】
本発明に係る情報処理システムによれば、情報提供者側で商品や広告物などの任意の有体物に、電磁気的又は光学的に情報が読み取り可能な情報提供媒体が取り付けられる。情報利用者側では、必要に応じ情報読取機能付きの携帯端末装置を使用してその情報提供媒体から電磁気的又は光学的に情報が読み取られて記録される。その後、携帯端末装置から読み出した情報が情報処理装置によって処理され、例えば視聴可能な形態の情報になされる。
【０００８】
従って、商品や広告物などの有体物をじっくりと見ていられないような場合、例えば、通勤途中に駅のコンコースで通りすがりに見たように場合に、その有体物に関連した住所や連絡先などの情報を筆記により写し撮らなくても、その情報を一瞬にして携帯端末装置内に電子的に記憶することができるので、家に帰ってその有体物に関連した情報を携帯端末装置から情報処理装置へ読み出して、ゆっくりと、その情報を情報処理装置で見たり、その企業へ直接インターネットを通じてアクセスすることができる。当該情報処理システムは、電子広告システムや、商品販売システム、商品情報提供システム、食品情報提供システム、記録メディア情報提供システム、展示情報提供システム、商品真偽判別システムなどに十分応用することができる。
【０００９】
本発明に係る携帯電話機は任意の有体物に取り付けられた情報提供媒体から情報を読み出して処理する電話機であって、電話機能と、情報提供媒体から有体物に関連した情報を読み出す情報読取手段と、この情報読取手段により読み出された情報を記憶する不揮発性の記憶手段とを備えたことを特徴とするものである。
【００１０】
本発明に係る携帯電話機によれば、任意の有体物に取り付けられた情報提供媒体から情報を読み出して処理する場合に、例えば、当該携帯電話機を情報提供媒体に近接させて情報提供媒体に対しアンテナ体が電磁結合される。このアンテナ体から有体物に関連した情報が情報読取手段により読み出され、この情報が不揮発性の記憶手段に記憶される。
【００１１】
従って、記憶手段から読み出した有体物に関連した情報をいつでも電話機能を利用して処理することができる。
【００１２】
本発明に係る情報処理方法は電磁気的又は光学的に情報が読出し可能であって、当該有体物に関連した情報を提供する情報提供媒体を任意の有体物に取り付け、情報提供媒体から電磁気的又は光学的に情報を読み取って記録し、その後、記録された情報を読み出して処理することを特徴とするものである。
【００１３】
本発明に係る情報処理方法によれば、情報利用者がその有体物に関連した情報を得たいとした場合に、その情報を電磁気的又は光学的に一瞬にして読み取ることができる。しかも、その情報を筆記等により写し撮らなくても、その有体物に関連した情報を何回も利用することができる。
【発明の効果】
【００１４】
以上説明したように、本発明に係る情報処理システムによれば、任意の有体物に取り付けられた情報提供媒体から、情報読取機能付きの携帯端末装置を使用して電磁気的又は光学的に読み取られ、その後、当該有体物に関連した情報が携帯端末装置から情報処理装置に読み出されて処理されるものである。
【００１５】
この構成によって、情報利用者がその有体物に関連した情報を得たいとした場合に、その情報を一瞬にして携帯端末装置内に記憶することができるので、その後、携帯端末装置から情報処理装置へ情報を読み出して、その有体物に関連した情報を情報処理装置で表示処理や真偽判別処理、音声出力処理等することができる。従って、当該情報処理システムを電子広告システムや、商品真偽判別システム、商品役務提供システムなどに十分応用することができる。
【００１６】
本発明に係る携帯電話機によれば、任意の有体物に取り付けられた情報提供媒体から情報を読み出して処理する場合に不揮発性の記憶手段を備え、有体物の情報提供媒体から読み出した情報を記憶するものである。
【００１７】
この構成によって、記憶手段から読み出した有体物に関連した情報をいつでも電話機能を利用して処理することができる。
【００１８】
本発明に係る情報処理方法によれば、電磁気的又は光学的に情報が読出し可能であって、当該有体物に関連した情報を提供する情報提供媒体を任意の有体物に取り付け、この情報提供媒体から電磁気的又は光学的に情報を読み取って記録し、その後、記録された情報を読み出して処理するようになされる。
【００１９】
この構成によって、情報利用者がその有体物に関連した情報を得たいとした場合に、その情報を電磁気的又は光学的に一瞬にして読み取ることができる。しかも、その情報を筆記等により写し撮らなくても、その有体物に関連した情報を何回も利用することができる。
【００２０】
この発明は電子広告システム、商品販売システム、商品情報提供システム、食品情報提供システム、記録メディア情報提供システム、展示情報提供システム、商品真偽判別システムなどに適用して極めて好適である。
【図面の簡単な説明】
【００２１】
【図１】実施形態としての情報処理システム１０の構成例を示すブロック図である。
【図２】実施形態としての情報処理システム１０における処理例を示すフローチャートである。
【図３】第１の実施例としての電子広告システム１００の構成例を示すイメージ図である。
【図４】情報提供電子部品１１の外観例を示すイメージ図である。
【図５】そのＩＣチップ１６の内部構成例を示すブロック図である。
【図６】実施例としての情報読取表示器１２の内部構成例を示すブロック図である。
【図７】Ａは書き込み時及び読み出し時の掲載情報Ｄ01に関するデータ列の送受信例、Ｂはそのデータ列のデータフォーマット例を示すイメージ図である。
【図８】第１の実施例としての電子広告システム１００における処理例を示すイメージ図である。
【図９】第２の実施例としての商品販売システム２００の構成例を示すイメージ図である。
【図１０】商品販売システム２００における処理例を示すフローチャートである。
【図１１】第３の実施例としての商品情報提供システム３００の構成例を示すイメージ図である。
【図１２】商品情報提供システム３００における処理例を示すフローチャートである。
【図１３】第４の実施例としての食品情報提供システム４００の構成例を示すイメージ図である。
【図１４】食品情報提供システム４００における処理例を示すフローチャートである。
【図１５】第５の実施例としての記録メディア情報提供システム５００の構成例を示すイメージ図である。
【図１６】記録メディア情報提供システム５００における処理例を示すフローチャートである。
【図１７】第６の実施例としての展示情報提供システム６００の構成例を示すイメージ図である。
【図１８】展示情報提供システム６００における処理例を示すフローチャートである。
【図１９】第７の実施例としての商品真偽判別システム７００の構成例を示すイメージ図である。
【図２０】商品真偽判別システム７００における処理例を示すフローチャートである。
【図２１】第８の実施例としての情報処理システム８００の構成例を示すイメージ図である。
【図２２】光学式の情報読取表示器２２の構成例を示すブロック図である。
【図２３】第９の実施例としての情報処理システム９００の構成例を示すイメージ図である。
【図２４】磁気式の情報読取表示器３２の構成例を示すブロック図である。
【図２５】Ａは第１０の実施例としての情報読取表示機能付きの携帯電話機４０１の外観例、Ｂはそのアンテナ体５２の構成例を示すイメージ図である。
【図２６】携帯電話機４０１の内部構成例を示すブロック図である。
【発明を実施するための形態】
【００２２】
続いて、この発明に係る情報処理システム、携帯電話機及び情報処理方法の一実施の形態について、図面を参照しながら説明をする。
【００２３】
（１）実施形態
図１は実施形態としての情報処理システム１０の構成例を示すブロック図である。
この実施形態では、商品や広告物などの任意の有体物に情報提供媒体を取り付け、個々の情報利用者に情報読取機能付きの携帯端末装置を所持させ、その情報利用者がその有体物に関連した情報を得たいとした場合に、その情報を一瞬にして携帯端末装置内に電子的に記憶できるようにすると共に、携帯端末装置から情報処理装置へ情報を読み出せるようにして、その有体物に関連した情報を情報処理装置で処理できるようにしたものである。
【００２４】
図１に示す情報処理システム１０では電磁気的又は光学的に情報が読出し可能な情報提供媒体１が予め準備される。情報提供媒体１には電子情報内容を提供する記録媒体や、磁気情報内容を提供する記録媒体、光学情報内容を提供する記録媒体が使用される。これらの情報提供媒体１は情報提供者側で商品や、食料品、記録メディア、展示物、広告物などの任意の有体物２に取り付けられる。
【００２５】
例えば、情報提供者側では、店舗やオンライン商品展示場所などに陳列された商品に情報提供媒体１を取り付けたり、フードショップに並べられた食料品に情報提供媒体１を取り付けたり、レコードショップに陳列された記録メディアに情報提供媒体１を取り付けたり、博物館や美術館の展示物に情報提供媒体１を取り付けたり、また、駅のコンコースや、車内、映画館、街頭案内板などに貼られた任意の広告物に情報提供媒体１を取り付けるようになされる。これら商品、食料品、記録メディア、展示物、広告物等の有体物２に関連した情報をユーザに提供するためである。
【００２６】
この例で、情報提供媒体１は有体物２の表面、裏面又は物体内の特定位置に取り付けられる。もちろん、情報提供媒体１は有体物２の包装物や収納物等に取り付けてもよくカード形式にして添付物としてもよい。情報提供媒体１の取り付け位置（存在）をアピールするために、その所在を示す表示が有体物２の表面に記載される。その際の情報提供媒体１の取り付け方法は、例えば、有体物２が広告物である場合に、その表面又は裏面にポケットなどを設け、このポケット内に情報提供媒体１を格納するようになされる。情報提供媒体１を格納した後は盗まれないようにポケットを封印などするとよい。
【００２７】
また、有体物２の真偽判別に利用する場合、例えば輸出入品において、その物体内に情報提供媒体１を埋め込む形式が採られる。このような形式を採るのは、真性商品と偽造商品との判別が必要となった場合、当局の検査官や特定の情報利用者のみがその取り付け位置を把握できれば良いからである。
【００２８】
この情報提供媒体１への記録内容は、当該有体物２に関連した情報がデータ形式で格納される。例えば、有体物２が電気製品や、洋服、化粧品、鞄、バッグ、靴・・・などの商品の場合は、その商品の特徴、機能、仕様、価格など従来のタグに記入できない情報や、問い合わせ先などの情報が情報提供媒体１に記録される。有体物２が食料品の場合は、その食料品の価格の他に賞味期限、レシピ、カロリー、当該料理に合うワイン情報、原産地名などの情報や、問い合わせ先などの情報が情報提供媒体１に記録される。もちろん、これらの文字情報の他にテキスト情報や音声及び映像情報などを情報提供媒体１に記録するようにしてもよい。
【００２９】
有体物２がＣＤ（Ｃompact Ｄisc）やＤＶＤ（Ｄigital Ｖersatile Ｄisc）などの記録メディアの場合は、その記録メディアに係るＣＤの序奏部分のオーディオ情報や、ＤＶＤの映画導入部分の音声及び映像情報が情報提供媒体１に記録される。商品販売を拡大するためである。有体物２が絵画や写真などの展示物の場合は、絵画案内情報や、写真の撮影条件情報、作者やモデルの音声情報などが情報提供媒体１に記録される。有体物２が催し物に関連した広告物の場合は、その広告物の表面に記載される、日時、場所、入場料金、交通案内、問い合わせ先などの情報が情報提供媒体１に記録される。近年では、問い合わせ先に関して電話番号の他に、インターネットを通して情報提供者側をアクセスするための電子メールアドレスが表示されるが、もちろん、このメールアドレスも情報提供媒体１に記録される。
【００３０】
情報提供媒体１は例えばフィルム状の基材を有している。この基材にはＩＣチップ及びこのＩＣチップに接続されたアンテナ体が設けられ、有体物２に関連した情報を格納するようになされる。情報提供媒体１はＩＣチップ及びアンテナ体に限られることはなく、白黒のバーコードや、二次元コード、磁気情報シートであってもよい。有体物２に関連した情報が格納できて、これらの情報を情報利用者に提供できればよい。
【００３１】
この情報処理システム１０では電磁式又は光学式の情報読取機能付き携帯端末装置３０が使用され、少なくとも、情報提供媒体１から電磁気的又は光学的に情報を読み取ってデータ形式で記録される。この携帯端末装置３０は情報利用者が個々に所持するようになされる。
【００３２】
電磁式の携帯端末装置３０は、少なくともアンテナ体及び情報読取手段３を有しており、情報提供媒体１のアンテナ体と電磁結合させ、このアンテナ体から有体物２に関連した情報を情報読取手段３により読み出すようになされる。この情報読取手段３には不揮発性の記憶手段４が接続され、情報読取手段３により読み出された情報を記憶するようになされる。
【００３３】
光学式の情報読取機能付き携帯端末装置は図示しない光学センサを有しており、少なくとも、情報提供媒体１に設けられた白黒のバーコード又は二次元コードを読み取るようになされる。光学センサには不揮発性の記憶手段が接続され、光学センサから取り込んだ有体物２に関連した情報が記憶される。
【００３４】
磁気式の携帯端末装置は図示しない磁気センサを有しており、少なくとも、情報提供媒体１に設けられた磁気情報シートを読み取るようになされる。磁気センサには不揮発性の記憶手段が接続され、磁気センサから取り込んだ有体物２に関連した情報を記憶するようになされる。記憶手段４は携帯端末装置３０に内蔵されるもの（内蔵型）でも、当該携帯端末装置３０に装着可能なもの（外付け型）でもよい。記憶手段４にはＥＥＰＲＯＭなどのフラッシュメモリが使用される。
【００３５】
この例では、携帯端末装置３０を情報提供媒体１に近接させ、あるいは、その情報提供媒体１上に携帯端末装置３０を走査することにより、その情報提供媒体１から電磁気的又は光学的に情報が読み取られる（以下で電子メモ機能ともいう）。また、携帯端末装置３０は情報提供媒体１から情報を読み取る専用端末装置に限られることはなく、情報読取機能を有した携帯電話機であってもよい。
【００３６】
この携帯端末装置３０は通常、情報処理装置５に接続して使用され、データ形式で記録された情報が処理され視聴可能な形態の情報になされる。情報処理装置５において、携帯端末装置３０から読み出した情報の真偽を判別処理するようにしてもよい。この実施形態で当該携帯端末装置３０に情報処理装置５を内蔵する構成を採る場合には、情報処理装置５は狭義的にＣＰＵ（中央演算装置）などによって具現化される。
【００３７】
この情報処理装置５には表示手段６が接続され、この表示手段６として数十×数百画素程度の液晶表示素子や、平面表示素子などが使用される。視聴可能な形態に処理された情報はそのまま携帯端末装置３０に表示され、その内容が見られるようになされる。
【００３８】
この携帯端末装置３０に上述の表示機能を装備していない場合は、情報処理装置５は広義的に卓上型のパーソナルコンピュータ（以下単にパソコンともいう）や、携帯型のノートブックパソコンなどによって具現化され、当該携帯端末装置３０で情報処理できなかった情報が処理され視聴可能な形態の情報になされる。当該情報処理システム１０が適用される業種によっては、情報処理装置５が店舗備え付けの金銭登録機能付き情報処理装置である場合もある。
【００３９】
表示手段６としては上述のパソコン備え付けの数インチのＣＲＴ（陰極線管）や、数百×数百画素の液晶表示パネルが使用され、視聴可能な形態に処理された情報が表示される。また、情報処理装置５では携帯端末装置３０から読み出した情報から得られる情報提供者側の電子メールアドレスを抽出し、その情報提供者側に対してインターネットを接続して、更なる詳しい情報を情報提供者から取り寄せるなどの情報処理が行われる。
【００４０】
続いて、本実施形態に係る情報処理方法について、情報処理システム１０における情報処理例について説明する。
【００４１】
この実施形態では商品や広告物などの当該有体物２に関連した情報が予め情報提供媒体１に格納されている場合を前提とする。情報利用者は電磁式、光学式あるいは磁気式の情報読取機能付き携帯端末装置３０を所持するものとする。また、情報処理装置５には家庭に備え付けのパソコンなどを使用する場合を例に採る。当該情報処理システム１０を商品販売システムなどに適用した場合にはその店舗で備え付けられる金銭登録機能付き情報処理装置が使用される。
【００４２】
これを前提として、図２に示すフローチャートのステップＡ１で情報提供者側で電磁気的又は光学的に情報読み取り可能な情報提供媒体１が任意の有体物２に取り付けられる。情報提供媒体１は業種別によって情報提供者側で商品や、食料品、記録メディア、展示物、広告物などの任意の有体物２に取り付けられる。
【００４３】
例えば、その商品の特徴、機能、仕様、価格など従来のタグに記入できない情報や、問い合わせ先などの情報が情報提供媒体１に記録される。この情報提供媒体付きの商品は例えば、店舗やオンライン商品展示場所などのショウケースに陳列される。
【００４４】
食品販売店では、その食料品の価格の他に賞味期限、レシピ、カロリー、当該料理に合うワイン情報、原産地名などの情報や、問い合わせ先などの情報が情報提供媒体１に記録される。この情報提供媒体付きの食料品は例えば、フードショップに並べられる。ＣＤやＤＶＤ販売店ではその記録メディアに係る音楽の序奏部分のオーディオ情報や、映画の導入部分の音声及び映像情報が情報提供媒体１に記録される。この情報提供媒体付きの記録メディアがレコードショップに陳列される。
【００４５】
博物館や美術館では展示物に関する、絵画案内情報や、写真の撮影条件情報、作者やモデルの音声情報などが情報提供媒体１に記録される。この情報提供媒体１が例えば、絵画や写真等の作品のそばに掲示される。また、広告業種では催し物に関連した広告物の表面に記載される、日時、場所、入場料金、交通案内、問い合わせ先などの情報が情報提供媒体１に記録される。この情報提供媒体入りの広告物は例えば、駅のコンコースや、車内、映画館、街頭案内板などに掲示される。
【００４６】
これらの商品、食料品、記録メディア、展示物、広告物等の有体物２に関連した情報をユーザに提供するためである。情報提供媒体１は業種によって、有体物２の表面、裏面又は物体内の特定位置に取り付けられる。もちろん、情報提供媒体１は有体物２の包装物や収納物等に取り付けてもよく、カード形式にして有体物２の添付物としてもよい。情報提供媒体１の取り付け位置（存在）をアピールするために、その所在を示す表示が有体物２の表面に記載される。その際の情報提供媒体１の取り付け方法は、例えば、有体物２が広告物である場合に、その表面又は裏面にポケットなどを設け、このポケット内に情報提供媒体１を格納するようになされる。情報提供媒体１を格納した後は盗まれないようにポケットを封印などするとよい。なお、輸出入品などの有体物内に予め情報提供媒体１を埋め込んでおいてもよい。
【００４７】
その後、ステップＡ２で情報利用者側では店舗やオンライン商品展示場所などのショウケースに陳列された情報提供媒体付きの商品、フードショップに並べられた情報提供媒体付きの食料品、レコードショップに陳列された情報提供媒体付きの記録メディア、絵画や写真等の作品のそばに掲示された情報提供媒体付きの展示物、駅のコンコースや、車内、映画館、街頭案内板などに掲示された情報提供媒体付きの広告物を見て、必要に応じて情報読取機能付き携帯端末装置３０を使用してその情報提供媒体１から電磁気的又は光学的に情報が読み取られて記録される。
【００４８】
そして、ステップＡ３で携帯端末装置３０から読み出した情報が処理される。例えば当該情報処理システム１０を商品販売システムに適用した場合には、商品をレジに持ち歩くことなく、購入希望の商品に係る情報提供媒体１から読み取った商品情報をその店舗の精算所の情報処理装置５に情報転送等するだけで、売買総金額等を算出するようになされる。
【００４９】
インターネット商品販売等の場合には例えばオンライン商品展示場所で洋服の色、サイズ、素材等の情報が無料で適用されるので、情報利用者は携帯端末装置３０を家に持ち帰り、自宅のパソコン等にこれらの情報を転送し、その情報がパソコンによって処理され視聴可能な形態の情報になされる。その商品の特徴、機能、仕様、価格など従来のタグに記入できない情報を得ることができる。
【００５０】
食料品に付加された情報提供媒体１はその食料品と共に入手されるので、自宅で携帯端末装置３０を使用してその食料品の賞味期限、レシピ、カロリー、当該料理に合うワイン情報、原産地名などの情報や、問い合わせ先などの情報が情報提供媒体１から情報処理装置５等へ読み出される。この情報に基づいて食料品を処理することができる。
【００５１】
ＣＤやＤＶＤ販売店で読み取ってきた、記録メディアに係る情報が携帯端末装置３０から情報処理装置５へ転送され、新規販売に係るＣＤの序奏部分のオーディオ情報や、ＤＶＤの映画の導入部分の音声及び映像情報が情報処理装置５で再生される。情報利用者は記録メディアの購入計画を立てやすくなる。
【００５２】
博物館や美術館では情報提供媒体１から携帯端末装置３０へ読み出された、その展示物に係る絵画案内情報や、写真の撮影条件情報、作者やモデルの音声情報などがその場で聞くことができる。もちろん、携帯端末装置３０を家に持ち帰り、自宅のパソコン等に情報を転送して処理し、視聴可能な形態の情報にしてもよい。
【００５３】
駅のコンコースや、車内、映画館、街頭案内板などに掲示された情報提供媒体付きの広告物から読み取ってきた、催し物に係る情報が携帯端末装置３０から情報処理装置５へ転送され、その日時、場所、入場料金、交通案内、問い合わせ先などの情報が情報処理装置５で再生される。
【００５４】
なお、真性商品と偽造商品との判別が必要となったときは、当局の検査官や特定の情報利用者によって情報提供媒体１から情報が読み出され、有体物２の真偽判別がなされる。
【００５５】
このように、本発明に係る実施形態としての情報処理システム１０によれば、情報提供者側で商品や広告物などの任意の有体物２に、電磁気的又は光学的に情報が読み取り可能な情報提供媒体１が取り付けられる。情報利用者側では、必要に応じ情報読取機能付きの携帯端末装置３０を使用してその情報提供媒体１から電磁気的又は光学的に情報が読み取られて記録される。その後、携帯端末装置３０から読み出した情報が情報処理装置５によって処理され、例えば視聴可能な形態の情報になされる。
【００５６】
従って、商品や広告物などの有体物２をじっくりと見ていられないような場合、例えば、通勤途中に駅のコンコースで通りすがりに見たように場合に、その有体物２に関連した住所や連絡先などの情報を筆記により写し撮らなくても、その情報を一瞬にして携帯端末装置内に記憶することができるので、家に帰ってその有体物に関連した情報を携帯端末装置３０から情報処理装置５へ読み出して、ゆっくりと、その有体物２に関連した情報を情報処理装置５で見たり、その企業へ直接インターネットを通じてアクセスすることができる。当該情報処理システム１０は、電子広告システムや、商品販売システム、商品情報提供システム、食品情報提供システム、記録メディア情報提供システム、展示情報提供システム、商品真偽判別システムなどに十分応用することができる。
【００５７】
（２）第１の実施例
図３は第１の実施例としての電子広告システム１００の構成例を示すイメージ図である。この電子広告システム１００は、有体物２に関して任意の広告物２０１に適用し、この広告物２０１に関連した電子情報内容を情報利用者へ提供するようにしたものである。この広告物２０１には情報提供媒体１として予めモジュール化した情報提供電子部品１１が取り付けられ、携帯用の情報読取表示器１２を使用してこの情報提供電子部品１１からその広告物２０１に関連した情報を電磁気的に読み取り、データ形式で記録された情報をパソコン１５などによって処理し、視聴可能な形態の情報にするようにしたものである。
【００５８】
図３に示す電子広告システム１００には電磁気的に情報が読出し可能な情報提供媒体１として情報提供電子部品１１が予め準備される。情報提供電子部品１１については、図４でその一例を説明する。この情報提供電子部品１１は情報提供者側で、例えば、駅のコンコースや、車内、映画館、街頭案内板などに掲示した任意の広告物２０１に取り付けられる。
【００５９】
この例で、情報提供電子部品１１は広告物２０１の表面の左斜め下部に設けられたポケットに格納するように取り付けられる。情報提供電子部品１１を格納した後は盗まれないようにポケットが封印される。その取り付け位置をアピールするために、その取り付け部位の周辺を取り囲むように目立つ塗色で例えば赤枠が記載される。
【００６０】
この情報提供電子部品１１への記録内容は、例えば、新たなジェットコースターを備えた遊園地に関連した新装開園広告の場合に、その広告物２０１の表面にジェットコースターの全景写真が記載され、その下部には、使用開始日時、場所、入場料金、交通案内、問い合わせ先などが記載され、この内容と同じ掲載情報Ｄ01が情報提供電子部品１１に記録される。もちろん、新たなジェットコースターに関して更に詳細な掲載情報Ｄ01を得たい情報利用者のために、電話番号の他に情報提供者側の電子メールアドレスが情報提供電子部品１１に記録される。
【００６１】
この電子広告システム１００では携帯端末装置３０として携帯用の情報読取表示器１２が使用される。情報読取表示器１２はいわゆるカードサイズ、例えば、図３に示す横の長さＬが８０ｍｍ〜１００ｍｍ程度で、縦の長さＷは５０ｍｍ〜６０ｍｍ程度であり、厚みは５ｍｍ〜１０ｍｍ程度である。この例では情報読取表示器１２と情報提供電子部品１１とが少なくとも電磁結合され、当該情報提供電子部品１１から電磁気的に掲載情報Ｄ01が読み取られてデータ形式で記録するようになされる。
【００６２】
この情報読取表示器１２は情報利用者が個々に所持するようになされる。情報読取表示器１２の取り扱い方法は、当該情報読取表示器１２を情報提供電子部品１１に近接させ、両者を重ね合わせることにより、その情報提供電子部品１１から電磁気的に掲載情報Ｄ01が読み取られる。この情報読取表示器１２には不揮発性の記憶手段としてＥＥＰＲＯＭなどのフラッシュメモリが内蔵又は外付けされ、情報提供電子部品１１から任意に読み取った掲載情報Ｄ01が記録される。
【００６３】
この例では、情報提供電子部品１１から読み取った掲載情報Ｄ01が情報読取表示器１２で処理され、視聴可能な形態の情報になされ、この情報がそのまま情報読取表示器１２の液晶表示素子などで表示され、その内容をその場で直に見られるようになされる。また、情報読取表示器１２にはユニバーサル・シリアルバス（以下ＵＳＢともいう）端子１３が設けられ、ＵＳＢ端子１３や、ＲＳ２３Ｃ通信プロトコルに係る通信ケーブルを使用してパソコン１５と接続できるようになされている。当該情報読取表示器１２で情報処理できなかった情報が通信処理などに供される。もちろん、視聴可能な形態に処理された情報をパソコン備え付けのＣＲＴで表示してもよい。また、この情報から情報提供者側の電子メールアドレスを抽出し、その情報提供者側に対してパソコン１５を使用してインターネットに接続し、更なる詳しいジェットコースターに関連した情報、例えば、最大斜度、最大高さ、最大スピード、所用時間・・・などを情報提供者側から取り寄せることができる。
【００６４】
続いて、情報提供電子部品１１の一例について説明をする。図４に示す情報提供電子部品１１には、例えば、情報読取表示器１２の横の長さＬ、縦の長さＷに対して、一回り小さな大きさの面積を有したフィルム状の基材１４が備えられている。もちろん、情報提供電子部品１１の形状は四角形状に限られることはなく、丸形状、楕円形状でもよい。基材１４は樹脂シートなどから構成される。基材１４の大きさや、材質もこれに限定されるものではない。この基材１４にはＩＣチップ１６が設けられ、広告物２０１に関連した掲載情報Ｄ01を提供するようになされる。この掲載情報Ｄ01は先の例で言えば、新たなジェットコースターを備えた遊園地に関連した使用開始日時、場所、入場料金、交通案内、問い合わせ先などである。
【００６５】
この基材１４には更にループ状のアンテナ体１７が設けられ、ＩＣチップ１６に電気的に接続されている。アンテナ体１７は太さ０．５ｍｍ程度の銅線又は銅箔パターンを例えば３回巻きしたものである。ＩＣチップ１６にはアンテナ体１７の他にコンデンサＣなどが接続される。コンデンサＣは蓄積電極、誘電体及び対向電極からなる。ＩＣチップ１６のメモリ容量は１．２ｋＢyte〜４．０ｋＢyte程度である。
【００６６】
図４では一方の電極のみを示している。このコンデンサＣはアンテナ体１７を電磁界の搬送周波数に同調させて受信効率を最大限引き出すために使用される。もちろん、受信効率の低下が許容される場合にはコンデンサＣを省略してもよい。また、情報提供電子部品１１に関して、ＩＣカードのように表裏にシート部材を施してもよく、特に、広告物２０１の裏面に取り付ける場合などは、シート部材を施さないままの電子部品の状態で使用してもよい。
【００６７】
続いて、ＩＣチップ１６の内部構成例について説明する。図５に示すＩＣチップ１６は変復調回路６１、信号処理回路６２及び不揮発性メモリ６３を有している。
【００６８】
この例で、掲載情報Ｄ01はマンチェスター符号化される。ＩＣチップ１６では、所定のデータフォーマットのデータ列になされた掲載情報Ｄ01がアンテナ体１７を通して情報読取表示器１２から受信される。アンテナ体１７には変復調回路６１が接続され、情報書込み時に、このアンテナ体１７で受信された振幅偏移（ＡＳＫ：Ａmplitude Ｓhift Ｋeying）変調波（１３．５６ＭHz）が変復調回路６１の復調機能によって復調される。ＡＳＫ変調波は搬送波信号の振幅をデジタルの掲載情報Ｄ01によって振幅偏移変調したものである。データ伝送速度は２５０ｋbps／２１１．８７５ｋbpsである。帯域幅は±３００ｋHzである。
【００６９】
変復調回路６１では例えば、情報読取表示器１２から当該情報提供電子部品１１へ送られてきた、掲載情報Ｄ01に係るデータ列が復調される。この復調後のデータ列は変復調回路６１から信号処理回路６２へ送出される。これを受けて、信号処理回路６２では復調後のデータ列がデコード処理され、このデコード結果に基づいて不揮発性メモリ６３に掲載情報Ｄ01が書き込まれる。これにより、情報提供者側では、広告物２０１に関連した掲載情報Ｄ01をデータ列にしてこのメモリ６３に書き込むことができる。
【００７０】
また、情報読出し時には、不揮発性メモリ６３から読み出された掲載情報Ｄ01が変復調回路６１の変調機能によってＡＳＫ変調される。データ伝送速度は２５０ｋbps／２１１．８７５ｋbpsである。帯域幅は±３００ｋHzであり、変調信号はマンチェスター符号による。これにより、掲載情報Ｄ01を所定のデータフォーマットのデータ列にしてアンテナ体１７を通して情報読取表示器１２に送信することができる。
【００７１】
なお、当該情報提供電子部品１１の電源は情報読取表示器１２から放射された電磁界エネルギーを電気信号に変換して使用される。この例では、電源生成部６４を有しており、電磁界エネルギーを安定した直流電源に変換するようになされている。
【００７２】
例えば、アンテナ体１７で受信された電磁界が電磁誘導の法則に基づいて誘導起電力に変換され、この起電力を整流することによりＤＣ電源が得られ、このＤＣ電圧が変復調回路６１、信号処理回路６２及び不揮発性メモリ６３に供給される。３回巻き、１３．５６ＭHz程度の搬送周波数の例で、２．２Ｖ、約１ｍＡの電源を得ることができる。もちろん、この他に外部からの高周波電磁エネルギーによる電力をアンテナ体１７又はその他の物体に取り込んでもよい。
【００７３】
続いて、情報読取表示器１２の内部構成例及びその機能について説明をする。図６に示す情報読取表示器１２にも、ループ状のアンテナ体５２が設けられ、当該情報提供電子部品１１との間で通信ができるようになされている。情報提供電子部品１１のアンテナ体１７とこの情報読取表示器１２のアンテナ体５２とは図７Ａに示すように電磁結合され、電気的に非接触な状態で使用される。
【００７４】
このアンテナ体５２には変復調回路５１が接続され、当該情報提供電子部品１１から送られてきた変調波がその復調機能を使用して復調される。例えば、情報提供電子部品１１から当該情報読取表示器１２へ送られてきた、広告物２０１に関連した掲載情報Ｄ01のデータ列が復調される。データ列は所定のデータフォーマットに基づいて構成される。例えば、掲載情報Ｄ01のデータ列の１パケットは図７Ｂに示すヘッダ＋データによって構成される。
【００７５】
この変復調回路５１にはシグナルプロセッサユニット（以下ＳＰＵという）５３が接続されている。ＳＰＵ５３は各種演算処理を実行する図示しないＣＰＵ（中央演算装置）、制御プログラムを格納したＲＯＭ、ワークメモリとして使用される汎用のＲＡＭなどを有している。ＳＰＵ５３ではＲＯＭから読み出された制御プログラムに基づいて、復調後の情報に係る各種情報処理が行われる。ＳＰＵ５３には不揮発性の記憶手段の一例となるフラッシュメモリ４２が接続され、情報提供電子部品１１から読み取った掲載情報Ｄ01が記録される。
【００７６】
また、情報提供者側で専ら使用される機能となるが、図７Ａに示す情報書き込み時には、変復調回路５１で、ＳＰＵ５３から受け取った各種情報を変調した後に、その変調電波による掲載情報Ｄ01のデータ列はアンテナ体５２を通して情報提供電子部品１１に送信される。この際に、データ列を電磁界として効率よく放出できるようにするために、周波数１３．５６ＭHzの搬送波を使ってデータ列がＡＳＫ変調され、アンテナ体５２により変調後の電波が電磁界（５００μＶ／ｍ程度）として情報提供電子部品１１に向けて送信される。
【００７７】
この変復調回路５１，ＳＰＵ５３，入力ツール５４，液晶ディスプレイ５５には電源＆制御部５７が接続され、ＤＣ電源が供給される。電源には乾電池や充電式のバッテリーが使用される。特に、変復調回路５１には電源＆制御部５７から周波数１３．５６ＭHzの搬送波が供給される。なお、情報書き込み機能は、情報提供者側で専ら使用できるように、情報利用者が所持する情報読取表示器１２では、情報提供電子部品１１への情報書き込み禁止するようになされる。この場合には、変復調回路５１の変調機能を削除したり、特殊な変調方法を採用することにより、情報利用者による掲載情報Ｄ01の改ざんなどを防止する策が施される。
【００７８】
また、ＳＰＵ５３にはキーボードなどの入カツール５４が接続され、ＳＰＵ５３に司令を与えるときにオペレータによって操作するようになされる。この他に、数十×数百画素程度の液晶表示素子から成る液晶ディスプレイ５５が接続され、情報提供電子部品１１から読み出した情報や、これから情報提供電子部品１１に書き込もうとする情報を液晶ディスプレイ５５に表示して確認できるようになされている。このＳＰＵ５３には外部装置用のＵＳＢ端子１３が接続され、上位のコンピュータなどに接続できるようになされている。
【００７９】
続いて、第１の実施例に係る情報処理方法について、電子広告システム１００における処理例について説明する。図８は第１の実施例としての情報処理方法に係る処理例を示すイメージ図である。
【００８０】
この例では有名タレントのコンサートに係るポスター２０に、その掲載情報Ｄ01が予め情報提供電子部品１１に格納されている場合を想定する。また、情報読取表示器１２を家庭に備え付けのパソコン１５などに接続して使用する場合を例に採る。これを前提として、図７に示す情報提供者側で任意のポスター２０に、電磁気的に情報の読み取り可能な情報提供電子部品１１が取り付けられる。例えば、ポスター２０の表面にカード状の情報提供電子部品１１が貼付される。情報提供者はこの情報提供電子部品貼付済みのポスター２０を、例えば、駅のコンコースや、車内、映画館、街頭案内板などに掲示する。
【００８１】
その後、情報利用者側では、駅のコンコースや、車内、映画館、街頭案内板など見て、必要に応じて携帯用の情報読取表示器１２を使用してその情報提供電子部品１１から電磁気的に掲載情報Ｄ01が読み取られて記録される。このとき、情報読取表示器１２と、情報提供電子部品１１とが重ね合わされ、電磁結合状態になされる。そして、例えば、家に戻って情報読取表示器１２とパソコン１５とをＵＳＢ端子１３及び通信ケーブルを使用して接続し、この情報読取表示器１２から掲載情報Ｄ01を読み出す。この掲載情報Ｄ01はパソコン１５によって処理され、視聴可能な形態の情報になされる。
【００８２】
従って、ポスター２０をじっくりと見ていられないような場合、例えば、通勤途中に車内で見た、そのポスター２０に関連した興行地や連絡先などの掲載情報Ｄ01を筆記により写し撮らなくても、その掲載情報Ｄ01を一瞬にして情報読取表示器１２内に記憶することができるので、家に帰って情報読取表示器１２からパソコン１５へその掲載情報Ｄ01を読み出して、ゆっくりと、そのポスター２０に関連した掲載情報Ｄ01をパソコン１５のディスプレイ上で見たり、そのコンサートの興行企業へ直接インターネットを通じて入場チケットなどの予約又は購入をすることができる。
【００８３】
また、本発明に係る情報提供電子部品１１によれば、電磁気式の情報読取表示器１２によって自由に何回でも、広告物２０１に関連した掲載情報Ｄ01を読み取ることができるので、あたかも、大量のチラシを配布するがごとく、その掲載情報Ｄ01を大衆に伝達することができる。しかも、予めチラシなどを準備する必要がなく、そのチラシが無法に街に捨てられることがないので、街の美化につながる。
【００８４】
（３）第２の実施例
図９は第２の実施例としての商品販売システム２００の構成例を示すイメージ図である。
この商品販売システム２００は、有体物２に関して複数の商品＃ｉ（ｉ＝１〜ｎ）に適用し、各々の商品＃ｉに関連した電子情報内容を商品購入希望者（情報利用者）へ提供するようにしたシステムである。この例では商品購入希望者の各々が情報読取表示器１２を所持し、複数の商品＃ｉを陳列されている場所に行って、買い物をする毎に、購入したい商品＃ｉ等にその情報読取表示器１２をかざして、その商品＃ｉから価格情報Ｄ02等を読取って記憶される。全ての買い物が終了したときに、特定の場所に行って精算し、その後、先ほど購入した商品＃ｉを荷物受取場所で一括して受け取るようになされる。
【００８５】
この商品販売システム２００では、図９に示す店頭に並べられた、全ての商品（□、○、▽、☆・・・）＃ｉには第１の実施例で説明した情報提供電子部品１１が取り付けられ、携帯用の情報読取表示器１２を使用してこの情報提供電子部品１１からその商品＃ｉに関連した価格情報Ｄ02等が電磁気的に読み取られ、データ形式で記録された価格情報Ｄ02が精算所（レジ）の金銭登録機能付きのパソコン３５などによって精算処理するようになされる。情報提供電子部品１１については、図４で説明した通りである。
【００８６】
この情報提供電子部品１１は情報提供者側で例えば商品＃ｉの値札１９等に設けられたポケットに格納するように取り付けられる。情報提供電子部品１１を格納した後はすり替えられたり、盗まれないようにポケットが封印される。その取り付け位置をアピールするために、その取り付け部位の周辺を取り囲むように目立つ塗色で例えば赤枠が記載される。もちろん、情報提供電子部品１１を商品＃ｉそのものに取り付けた場合は、次の実施例で説明する商品情報提供システム３００を構築することができる。
【００８７】
このシステム２００における情報提供電子部品１１への記録内容は例えば、当該商品＃ｉの名称及び価格等である。名称や価格の他にメーカー名、製造年月日、この商品＃ｉに関する問い合わせ先の電話番号などが記録される。もちろん、この商品＃ｉに関して更に詳細な情報を得たい情報利用者のために、電話番号などの他に情報提供者側の電子メールアドレスが情報提供電子部品１１に記録される。
【００８８】
この商品販売システム２００でも情報読取機能付きの携帯端末装置として第１の実施例で説明した携帯用の情報読取表示器１２が使用される。この構成内容については、第１の実施例で説明しているのでその説明を省略する。この例でも情報読取表示器１２と情報提供電子部品１１とが少なくとも電磁結合され、当該情報提供電子部品１１から電磁気的に価格情報Ｄ02等が読み取られてデータ形式で記録するようになされる。
【００８９】
この情報読取表示器１２は商品購入希望者（情報利用者）が個々に所持するようになされる。情報読取表示器１２の取り扱い方法は、当該情報読取表示器１２を情報提供電子部品１１に近接させることにより、その情報提供電子部品１１から電磁気的に情報を読み取るようになされる。この際の接近距離は情報読取表示器１２の性能にもよるが、改札タイプのもので１０ｃｍ程度であり、券売機タイプのもので２ｃｍ程度であり、超小型タイプのものでは密着させられ、通信時の周波数を１３．５６ＭHZよりも高くすれば５０ｃｍ〜７０ｃｍ程度にすることができる。
【００９０】
この情報読取表示器１２には第１の実施例で説明したように不揮発性のメモリが内蔵され、情報提供電子部品１１から任意に読み取った商品＃ｉの価格情報Ｄ02等が記録される。この価格情報Ｄ02は電源を切ってもメモリから消去されない。
【００９１】
この例で情報読取表示器１２には第１の実施例で説明したＵＳＢ端子１３が設けられているいので、このＵＳＢ端子１３や、ＲＳ２３Ｃ通信プロトコルに係る通信ケーブルを使用してパソコン３５と通信を行うことができる。当該情報読取表示器１２で情報処理できない情報処理などをパソコン３５で行うようになされる。
【００９２】
この通信ケーブルを使用した有線通信の代わりに赤外線を使用した局所無線通信を行ってもよい。その場合は情報読取表示器１２及び金銭登録機能付きのパソコン３５に赤外線送受信部を設け、この赤外線通信によって、情報読取表示器１２からパソコン３５へ一瞬にして価格情報Ｄ02等を転送するようになされる。もちろん、パソコン備え付けのＣＲＴには、購入商品＃ｉを積算集計処理した後の購入情報を表示するようになされる。販売事業者で販売品の確認をするためである。
【００９３】
続いて、当該商品販売システム２００における処理例について説明をする。この例では、予め店頭に並べられた全ての商品＃ｉの値札１９には情報提供電子部品１１が取り付けられ、携帯用の情報読取表示器１２を使用してこの情報提供電子部品１１からその商品＃ｉに関連した価格情報Ｄ02等が電磁気的に読み取られ、データ形式で記録された価格情報Ｄ02が精算所（レジ）の金銭登録機能付きのパソコン３５などによって精算処理する場合を想定する。もちろん、商品購入希望者の各々は情報読取表示器１２を所持しているものとする。
【００９４】
これを前提として、図１０に示すフローチャートのステップＢ１で商品購入希望者は、複数の商品＃ｉを陳列されている場所に行き、買い物をするかを決める。買い物をする場合は、ステップＢ２に移行して、買い物をする毎に、購入したい商品の値札１９等にその情報読取表示器１２を近づける。このとき、情報読取表示器１２と、情報提供電子部品１１とが電磁結合状態になされる。
【００９５】
そして、ステップＢ３に移行して、その商品＃ｉの情報提供電子部品１１から価格情報Ｄ02が読取られてその情報読取表示器１２内に記憶される。その後、ステップＢ４に移行して全ての買い物が終了したかを判断する。この際の判断は商品購入希望者である。全ての買い物を終了してない場合はステップＢ２に戻って購入したい商品＃ｉの値札１９に情報読取表示器１２を近づけ、上述と同様な処理を繰り返すようになされる。
【００９６】
全ての買い物を終了した場合は、特定の精算場所等に行って精算される。精算はオンライン方式による銀行自動引き落しでも、その場で現金により支払う方式でもよい。オンライン方式の場合はパソコン３５を電話回線などの通信手段を介して銀行のパソコンに接続し、当該商品購入希望者の口座残高などが照会された後に決済される。その後、先ほど購入した商品＃ｉをステップＢ６に移行して所定の荷物引取場所で一括して受け取るようになされる。
【００９７】
このように、第２の実施例に係る商品販売システム２００によれば、従来方式のような精算所に行くまでに買い物の度にショッピンカートに荷物が増えるという煩わしさが無くなる。当該商品購入希望者は１台の情報読取表示器１２を持ってレジに並べばよい。
【００９８】
しかも、情報読取表示器１２内には購入した商品＃ｉに係る名称及び価格情報Ｄ02が記録されているので、家に帰って情報読取表示器１２から自分のパソコン１５等へその価格情報Ｄ0２等を読み出して、ゆっくりと、先ほど購入した商品＃ｉに関して、パソコン１５のディスプレイ上で家計簿等を自動的に記録することができる。この商品＃ｉに不具合が発見されたときは、次の実施例でも説明するが、その商品＃ｉの付帯情報からメーカーに直接、取り扱い方法や、商品＃ｉの交換依頼などの電話をかけるように情報処理することもできる。
【００９９】
（４）第３の実施例
図１１は第３の実施例としての商品情報提供システム３００の構成例を示すイメージ図である。
この例では、有体物２に関して店頭商品＃ｉやオンラインショッピング（インターネットショッピング）における販売見本品に情報提供電子部品１１が取り付けられ、この情報提供電子部品１１には付帯情報を記録したものである。付帯情報とはその商品＃ｉの名称及び価格情報以外の商品＃ｉの特徴、機能、仕様など従来の紙のタグでは入らないような情報をいうものとする。従って、商品＃ｉに不具合が発見されたときは、その商品＃ｉの付帯情報からメーカーに直接問い合わせ、その取り扱い方法や、商品＃ｉの交換依頼などを行うことができる。
【０１００】
特に、インターネットショッピングにおける販売見本品を集めたサンプル展示場所が設けられ、プロバイダを介在してパソコン１５にダウンロードしたネット販売情報ではわかりにくい商品＃ｉの色、サイズ等に関して、情報利用者がこのサンプル展示場所に行き、自分の目で確かめた上で、その商品＃ｉに取り付けられた情報提供電子部品１１から、そこに持参した情報読取表示器１２に付帯情報を読取り、納得がいった上で買い物をできるようにすると共に、オンライン上で注文、決済等の利便性を享受できるようにしたシステムである。
【０１０１】
商品購入希望者で購入意志が有る場合はそのまま商品＃ｉを購入すればよいが、他社と比較してから購入を決める場合があるからである。この場合にはその付帯情報を店頭やサンプル展示場所で情報読取表示器１２に読み込み、自宅や会社などに持ち帰りパソコン１５等に付帯情報を転送して表示処理等を行い、その商品＃ｉを購入するか否かの判断材料に利用することができる。
【０１０２】
図１１に示す商品情報提供システム３００において、例えば、インターネットショッピングにおける販売見本品のサンプル展示場所に並べられた、背広上下、ハンドバック、腕時計・・・・等の全ての商品＃ｉには、第１の実施例で説明した情報提供電子部品１１が取り付けられ、携帯用の情報読取表示器１２を使用してこの情報提供電子部品１１からその商品＃ｉに関連した情報が電磁気的に読み取られ、データ形式で記録された付帯情報Ｄ03が自宅や会社などのパソコン１５などによって処理され、視聴可能な情報になされる。情報提供電子部品１１については、図４で説明した通りである。この情報提供電子部品１１は情報提供者側で商品＃ｉの値札１９等に取り付けられる。
【０１０３】
このシステム３００における情報提供電子部品１１への記録内容は例えば、当該商品＃ｉの名称、価格、メーカー名、製造年月日、特徴、機能、仕様、この商品＃ｉに関する問い合わせ先の電話番号などが記録される。もちろん、この商品＃ｉに関して更に詳細な情報を得たい情報利用者のために、電話番号などの他に情報提供者側の電子メールアドレスが情報提供電子部品１１に記録される。
【０１０４】
この商品情報提供システム３００でも情報読取機能付きの携帯端末装置として第１の実施例で説明した携帯用の情報読取表示器１２が使用される。この構成内容について第１の実施例で説明しているのでその説明を省略する。この例でも情報読取表示器１２と情報提供電子部品１１とが少なくとも電磁結合され、当該情報提供電子部品１１から電磁気的に付帯情報Ｄ03が読み取られてデータ形式で記録するようになされる。
【０１０５】
この情報読取表示器１２は商品購入希望者（情報利用者）が個々に所持するようになされる。情報読取表示器１２の取り扱い方法は、第１及び第２の実施例で説明したように、当該情報読取表示器１２を情報提供電子部品１１に近接させることにより、その情報提供電子部品１１から電磁気的に付帯情報Ｄ03が読み取られる。
【０１０６】
この情報読取表示器１２には第１の実施例で説明したように不揮発性のメモリが内蔵され、情報提供電子部品１１から任意に読み取った商品＃ｉの付帯情報Ｄ03等が記録される。この付帯情報Ｄ03は電源を切ってもメモリから消去されない。この例では付帯情報Ｄ03が情報読取表示器１２によって処理され、視聴可能な形態の情報になされ、この付帯情報Ｄ03を処理した情報がそのまま情報読取表示器１２の液晶表示素子などで表示され、その内容をその場で直に見られるようになされる。
【０１０７】
また、情報読取表示器１２には設けられたＵＳＢ端子１３や、ＲＳ２３Ｃ通信プロトコルに係る通信ケーブルを使用してパソコン１５と接続される。そして、当該情報読取表示器１２で情報処理できなかった付帯情報Ｄ03が通信処理などに供される。もちろん、視聴可能な形態に処理された情報をパソコン備え付けのＣＲＴで表示してもよい。また、付帯情報Ｄ03から情報提供者側の電子メールアドレスを抽出し、その情報提供者側に対してパソコン１５を使用してインターネットに接続し、更なる詳しい情報を入手したり、その商品＃ｉの課金処理に移行することもなされる。
【０１０８】
続いて、当該商品情報提供システム３００における処理例について説明をする。この例では、予めインターネットショッピングにおける販売見本品のサンプル展示場所に並べられた全ての商品＃ｉの値札１９には情報提供電子部品１１が取り付けられ、携帯用の情報読取表示器１２を使用してこの情報提供電子部品１１からその商品＃ｉに関連した付帯情報Ｄ03等が電磁気的に読み取られ、データ形式で記録された付帯情報Ｄ03が自宅や会社のパソコン１５などによって処理される場合を想定する。もちろん、商品購入希望者の各々は情報読取表示器１２を所持しているものとする。
【０１０９】
これを前提として、図１２に示すフローチャートのステップＣ１で商品購入希望者は、複数のサンプル商品＃ｉを陳列されている展示場所に行き、サンプル商品＃ｉに関して知りたい情報があるか否かを判断する。この際の判断は商品購入希望者である。サンプル商品＃ｉに関して知りたい情報がある場合は、ステップＣ２に移行して、知りたい情報のサンプル商品＃ｉ毎に、その値札１９等に情報読取表示器１２を近づける。このとき、情報読取表示器１２と情報提供電子部品１１とが電磁結合状態になされる。
【０１１０】
そして、ステップＣ３に移行して、その商品＃ｉの情報提供電子部品１１から付帯情報Ｄ03が読取られてその情報読取表示器１２内に記憶される。その後、ステップＣ４に移行してサンプル商品＃ｉに関して知りたい情報が全て読み取れたか否か判断する。この際の判断は商品購入希望者である。サンプル商品＃ｉに関して知りたい情報が全て読み取れていない場合は、ステップＣ２に戻って知りたい情報のサンプル商品＃ｉの値札１９に情報読取表示器１２を近づけ、上述と同様な処理を繰り返すようになされる。
【０１１１】
サンプル商品＃ｉに関して知りたい情報が全て読み取れた場合はステップＣ５に移行して、情報読取表示器１２を使用して付帯情報Ｄ03が処理され、視聴可能な形態の情報がそのまま液晶表示素子などに表示され、その内容をその場で直に見られるようになされる。
【０１１２】
また、ステップＣ６に移行して、情報読取表示器１２のＵＳＢ端子１３とパソコン１５とを通信ケーブルを使用して接続し、当該情報読取表示器１２で情報処理した内容や、そこで処理できなかった付帯情報Ｄ03がパソコン１５に転送される。パソコン１５では視聴可能な形態に処理された情報、例えば、サンプル商品＃ｉである腕時計の特徴、機能、仕様などが備え付けのＣＲＴで表示されたり、また、付帯情報Ｄ03から情報提供者側の電子メールアドレスが抽出され、その情報提供者側に対してインターネットを介在して更なる詳しい情報を入手したり、その商品＃ｉの課金処理に移行するようになされる。
【０１１３】
このように、第３の実施例に係る商品情報提供システム３００によれば、インターネットショッピングにおける販売見本品を集めたサンプル展示場所が設けられる場合であって、プロバイダを介在してパソコン１５にダウンロードしたネット販売情報ではわかりにくい商品＃ｉの色、サイズ等に関して、情報利用者がこのサンプル展示場所に行き、自分の目で確かめた上で、その商品＃ｉに取り付けられた情報提供電子部品１１から情報読取表示器１２へ付帯情報Ｄ03を読取り、納得がいった上で買い物をすることができる。これと共に、オンライン上で注文、決済等の利便性を享受することができる。
【０１１４】
しかも、商品＃ｉに不具合が発見されたときは、第２の実施例を組み合わせることにより、その商品＃ｉの付帯情報Ｄ03からメーカーに直接問い合わせ、その取り扱い方法や、商品＃ｉの交換依頼などを行うことができる。
【０１１５】
（５）第４の実施例
図１３は第４の実施例としての食品情報提供システム４００の構成例を示すイメージ図である。
この例では、有体物２に関して食料品に情報提供電子部品１１が取り付けられ、この情報提供電子部品１１には食品販売店において食品情報Ｄ04が記録される。ここで食品情報Ｄ04とはその食料品２０２の名称、価格、賞味期限などの他にレシピ、料理に合うワイン情報、カロリー、原産地名などの情報であって、従来の紙のタグでは入らないような情報もいうものとする。従って、食料品購入者は情報提供電子部品１１付きの食料品２０２を購入することにより、その食料品２０２に関して賞味期限などの他にレシピ、料理に合うワイン情報、カロリー、原産地名などの情報を得ることができ、その食料品２０２の献立管理等を行うことができる。
【０１１６】
図１３に示す食品情報提供システム４００において、例えば、フードショップに並べられた全ての食料品２０２には、第１の実施例で説明した情報提供電子部品１１が取り付けられる。情報提供電子部品１１は直接、食料品２０２に取り付けることを要さず、その梱包用の容器、収納物に取り付けるようになされる。
【０１１７】
このシステム４００における情報提供電子部品１１への記録内容は当該食料品２０２の名称、価格、メーカー名、製造年月日、賞味期限などの他にレシピ、料理に合うワイン情報、カロリー、原産地名などの情報、この食料品２０２に関する問い合わせ先の電話番号などが記録される。
【０１１８】
もちろん、この食料品２０２に関して更に詳細な情報を得たい情報利用者のために、電話番号などの他に情報提供者側の電子メールアドレスが情報提供電子部品１１に記録される。情報提供電子部品１１については、図４で説明した通りである。この情報提供電子部品１１は食品販売店（情報提供者側）で食料品２０２の値札１９等に取り付けられる。
【０１１９】
この食品情報提供システム４００でも第１の実施例で説明した携帯用の情報読取表示器１２が使用される。例えば、情報読取表示器１２と情報提供電子部品１１とが少なくとも電磁結合され、当該情報提供電子部品１１から電磁気的に食品情報Ｄ04が読み取られてデータ形式で記録するようになされる。
【０１２０】
この情報読取表示器１２は情報利用者が個々に所持するようになされる。情報読取表示器１２の取り扱い方法は、第１〜第３の実施例で説明したように、当該情報読取表示器１２を情報提供電子部品１１に近接させることにより、その情報提供電子部品１１から電磁気的に食品情報Ｄ04が読み取られる。
【０１２１】
この情報読取表示器１２には第１の実施例で説明したように不揮発性のメモリ４２が内蔵され、情報提供電子部品１１から任意に読み取った食料品２０２の食品情報Ｄ04等が記録される。この食品情報Ｄ04は電源を切ってもメモリから消去されない。この例では情報読取表示器１２で視聴可能な形態に処理された食品情報Ｄ04がそのまま情報読取表示器１２の液晶表示素子などで表示され、その内容をその場で直に見られるようになされる。
【０１２２】
また、情報読取表示器１２に設けられたＵＳＢ端子１３は、通信ケーブルを使用して自宅のパソコン１５と接続される。そして、当該情報読取表示器１２のちすち食品情報Ｄ04が転送され、詳しい料理方法に係る映像がパソコン備え付けのＣＲＴに表示され、これと共に音声によるガイダンスが備え付けのスピーカーから出力するようになされる。この料理に相応しいワイン情報などの映像も表示される。
【０１２３】
続いて、当該食品情報提供システム４００における処理例について説明をする。この例では、予めフードショップに並べられた全ての食料品２０２の値札１９には情報提供電子部品１１が取り付けられ、その食料品を購入して自宅に持ち帰り、携帯用の情報読取表示器１２を使用し、この情報提供電子部品１１からその食料品２０２に関連した食品情報Ｄ04等が電磁気的に読み取られ、データ形式で記録された食品情報Ｄ04が自宅のパソコン１５などによって処理される場合を想定する。この食品情報Ｄ04から料理方法を参照する場合を一例に採る。もちろん、食品購入希望者（情報利用者）の各々は情報読取表示器１２を所持しているものとする。
【０１２４】
これを前提として、図１４に示すフローチャートのステップＥ１で食品購入希望者は、複数の食料品２０２を陳列されているフードショップに行き、購入したい食料品２０２があるか否かを判断する。この際の判断は食品購入希望者である。購入したい食料品２０２がある場合は、情報提供電子部品付きの食料品２０２を購入して自宅に持ち帰る。
【０１２５】
自宅では、献立時に、ステップＥ２でその食料品２０２の値札１９等に情報読取表示器１２を近づける。このとき、情報読取表示器１２と情報提供電子部品１１とが電磁結合状態になされる。そして、ステップＥ３に移行して、その食料品２０２の情報提供電子部品１１から食品情報Ｄ04が読取られてその情報読取表示器１２内に記憶される。その後、ステップＥ４に移行して食品情報Ｄ04が読取られたかが情報利用者によて判断される。食品情報Ｄ04を全部読み取っていない場合は、ステップＥ２に戻って情報読取処理が繰り返される。
【０１２６】
食品情報Ｄ04を全部読み取れた場合はステップＥ５に移行して情報読取表示器１２のフラッシュメモリ４２から食品情報Ｄ04が読み出されて視聴可能な形態に処理され、この食品情報Ｄ04がそのまま液晶表示素子などに表示され、その内容をその場で直に見られるようになされる。
【０１２７】
また、ステップＥ６に移行して情報読取表示器１２のＵＳＢ端子１３とパソコン１５とを通信ケーブルを使用して接続し、当該情報読取表示器１２で情報処理した内容や、そこで処理できなかった食品情報Ｄ04がパソコン１５等に転送される。パソコン１５では視聴可能な形態に処理した情報、例えば、その食料品２０２の料理方法が備え付けのＣＲＴで表示されたり、また、食品情報Ｄ04から情報提供者側の電子メールアドレスが抽出され、その情報提供者側に対してインターネットを介在して更なる詳しい料理方法に関する情報を入手するようになされる。
【０１２８】
このように、第４の実施例に係る食品情報提供システム４００によれば、食料品に情報提供電子部品１１が取り付けられ、この情報提供電子部品１１には食品販売店において食品情報Ｄ04が記録される。従って、食料品２０２に関して賞味期限などの他にレシピ、料理に合うワイン情報、カロリー、原産地名などの情報を得ることができる。この食品情報Ｄ04に基づいてその食料品２０２の賞味期限管理や献立管理等を行うことができる。
【０１２９】
賞味期限は図示しない冷蔵庫のコンピュータとリンクさせてもよい。この場合、情報読取表示器１２及び冷蔵庫のコンピュータの双方に赤外線送受信部を設け、この赤外線通信によって、情報読取表示器１２からそのコンピュータへ一瞬にして賞味期限に関する情報等を転送するようになされる。この賞味期限に関する情報が庫内管理情報に加えられ、そのコンピュータによってユーザの食生活を管理するようになされる。
【０１３０】
しかも、その食料品２０２に関して不具合が発見されたときは、その食料品２０２の食品情報Ｄ04からメーカーに直接問い合わせ、その対処方法や、食料品２０２の交換依頼などを行うことができる。
【０１３１】
（６）第５の実施例
図１５は第５の実施例としての記録メディア情報提供システム５００の構成例を示すイメージ図である。
この例では、有体物２に関してＣＤやＤＶＤなど記録メディア２０３に情報提供電子部品１１が取り付けられ、この情報提供電子部品１１には体験情報を記録したものである。体験情報とはその記録メディアの名称、価格の他にその記録メディアに係る音楽の序奏部分のオーディオ情報や、映画の導入部分の音声及び映像情報をいうものとする。この記録メディア２０３に取り付けられた情報提供電子部品１１から、レコードショップに持参した情報読取表示器１２に体験情報を読取り、この体験情報を視聴し納得がいった上で買い物をできるようにすると共に、オンライン上で注文、決済等の利便性を享受できるようにしたシステムである。
【０１３２】
メディア購入希望者で購入意志が有る場合はそのまま記録メディア２０３を購入すればよいが、他社と比較してから購入を決める場合があるからである。この場合にはその体験情報をレコードショップで情報読取表示器１２に読み込み、自宅や会社などに持ち帰りパソコン１５等に体験情報を転送して表示処理等を行い、その記録メディア２０３を購入するか否かの判断材料に利用することができる。
【０１３３】
図１５に示す記録メディア情報提供システム５００において、例えば、レコードショップに並べられた、ＣＤ，ＣＤ−ＲＯＭ、ＤＶＤ・・・・等の全ての記録メディア２０３には、第１の実施例で説明した情報提供電子部品１１が取り付けられ、携帯用の情報読取表示器１２を使用してこの情報提供電子部品１１からその記録メディア２０３に関連した体験情報Ｄ05が電磁気的に読み取られ、データ形式で記録された体験情報Ｄ05が自宅や会社などのパソコン１５などによって処理され、視聴可能な情報になされる。
【０１３４】
情報提供電子部品１１については、図４で説明した通りである。この情報提供電子部品１１には例えば、ＣＤやＤＶＤの情報提供者側でその記録メディア２０３に係る音楽の序奏部分のオーディオ情報や、映画の導入部分の音声及び映像情報が記録される。この情報提供電子部品付きの記録メディア２０３がレコードショップに陳列される。これらの記録メディア２０３に関連した情報をユーザに提供するためである。
【０１３５】
この情報提供電子部品１１は情報提供者側で記録メディア２０３の値札１９等に取り付けられる。もちろん、情報提供電子部品１１は記録メディア２０３の包装物や収納物等に取り付けてもよく、カード形式にして記録メディア２０３の添付物としてもよい。情報提供電子部品１１の取り付け位置（存在）をアピールするために、その所在を示す表示が記録メディア２０３の表面に記載される。
【０１３６】
このシステム５００における情報提供電子部品１１への記録内容は上述した内容の他に例えば、当該記録メディア２０３の名称、価格、制作者名に係る情報、この記録メディア２０３に関する問い合わせ先の電話番号などが記録される。もちろん、この記録メディア２０３に関して更に詳細な情報を得たい情報利用者のために、電話番号などの他に情報提供者側の電子メールアドレスが情報提供電子部品１１に記録される。
【０１３７】
この記録メディア情報提供システム５００でも情報読取機能付きの携帯端末装置として第１の実施例で説明した携帯用の情報読取表示器１２が使用される。この構成内容について第１の実施例で説明しているのでその説明を省略する。この例でも情報読取表示器１２と情報提供電子部品１１とが少なくとも電磁結合され、当該情報提供電子部品１１から電磁気的に体験情報Ｄ05が読み取られてデータ形式で記録するようになされる。
【０１３８】
この情報読取表示器１２はメディア購入希望者（情報利用者）が個々に所持するようになされる。情報読取表示器１２の取り扱い方法は、第１〜第４の実施例で説明したように、当該情報読取表示器１２を情報提供電子部品１１に近接させることにより、その情報提供電子部品１１から電磁気的に体験情報Ｄ05が読み取られる。
【０１３９】
この情報読取表示器１２には第１の実施例で説明したように不揮発性のメモリが内蔵され、情報提供電子部品１１から任意に読み取った記録メディア２０３の体験情報Ｄ05等が記録される。この体験情報Ｄ05は電源を切ってもメモリから消去されない。この例では体験情報Ｄ05が情報読取表示器１２によって処理され、視聴可能な形態の情報になされ、この体験情報Ｄ05を処理した情報がそのまま情報読取表示器１２の液晶表示素子などで表示され、その内容をその場で直に見られるようになされる。
【０１４０】
また、この例でも情報読取表示器１２のＵＳＢ端子１３と、パソコン１５とが通信ケーブルを使用して接続される。そして、当該情報読取表示器１２で情報処理できなかった体験情報Ｄ05が通信処理などに供される。もちろん、視聴可能な形態に処理された情報をパソコン備え付けのＣＲＴで表示してもよい。また、体験情報Ｄ05から情報提供者側の電子メールアドレスを抽出し、その情報提供者側に対してパソコン１５を使用してインターネットに接続し、更なる詳しい情報を入手することもなされる。
【０１４１】
続いて、当該記録メディア情報提供システム５００における処理例について説明をする。この例では、予めレコードショップに並べられた全ての記録メディア２０３の値札１９には情報提供電子部品１１が取り付けられ、携帯用の情報読取表示器１２を使用してこの情報提供電子部品１１からその記録メディア２０３に関連した体験情報Ｄ05等が電磁気的に読み取られ、データ形式で記録された体験情報Ｄ05が自宅や会社のパソコン１５などによって処理される場合を想定する。もちろん、メディア購入希望者の各々は情報読取表示器１２を所持しているものとする。
【０１４２】
これを前提として、図１６に示すフローチャートのステップＦ１でメディア購入希望者は、レコードショップに行き、記録メディア２０３に関して知りたい情報があるか否かを判断する。この際の判断はメディア購入希望者である。記録メディア２０３に関して知りたい情報がある場合は、ステップＦ２に移行して、知りたい情報の記録メディア２０３毎に、その値札１９等に情報読取表示器１２を近づける。このとき、情報読取表示器１２と情報提供電子部品１１とが電磁結合状態になされる。
【０１４３】
そして、ステップＦ３に移行して、その記録メディア２０３の情報提供電子部品１１から体験情報Ｄ05が読取られてその情報読取表示器１２内に記憶される。その後、ステップＦ４に移行して記録メディア２０３に関して知りたい情報が全て読み取れたか否か判断する。この際の判断はメディア購入希望者である。記録メディア２０３に関して知りたい情報が全て読み取れていない場合は、ステップＦ２に戻って知りたい情報の記録メディア２０３の値札１９に情報読取表示器１２を近づけ、上述と同様な処理を繰り返すようになされる。
【０１４４】
記録メディア２０３に関して知りたい情報が全て読み取れた場合はステップＦ５に移行して、情報読取表示器１２を使用して体験情報Ｄ05が処理され、視聴可能な形態の情報がそのまま液晶表示素子などに表示され、その内容をその場で直に見られるようになされる。
【０１４５】
また、ステップＦ６に移行して、情報読取表示器１２のＵＳＢ端子１３とパソコン１５とを通信ケーブルを使用して接続し、当該情報読取表示器１２で情報処理した内容や、そこで処理できなかった体験情報Ｄ05がパソコン１５に転送される。パソコン１５では視聴可能な形態に処理された情報、例えば、ＤＶＤに係る新作映画などのさわりの部分の映像が備え付けのＣＲＴで表示されたり、また、体験情報Ｄ05から情報提供者側の電子メールアドレスが抽出され、その情報提供者側に対してインターネットを介在して更なる詳しい情報を入手するようになされる。
【０１４６】
このように、第５の実施例に係る記録メディア情報提供システム５００によれば、記録メディア２０３に取り付けられた情報提供電子部品１１から、レコードショップに持参した情報読取表示器１２に体験情報Ｄ05を読取り、この体験情報Ｄ05を視聴し納得がいった上で買い物をすることができる。
【０１４７】
しかも、記録メディア２０３に不具合が発見されたときは、第２の実施例を組み合わせることにより、その記録メディア２０３の体験情報Ｄ05からメーカーに直接問い合わせ、その取り扱い方法や、記録メディア２０３の交換依頼などを行うことができる。
【０１４８】
記録メディア２０３はＣＤやＤＶＤに限られることはなく、ＶＴＲでも本や雑誌でもよい。これらのＶＴＲや、本、雑誌などに情報提供電子部品１１を取り付け、ＶＴＲによる動画情報のさわり部分の映像を見せたり、本や雑誌では目次や、物語のさわりをテキストで読ませるようになされる。
【０１４９】
（７）第６の実施例
図１７は第６の実施例としての展示情報提供システム６００の構成例を示すイメージ図である。
この例では、有体物２に関して博物館や美術館などの展示物に情報提供電子部品１１が取り付けられ、この情報提供電子部品１１には展示情報を記録したものである。展示情報とはその展示物の名称の他にその展示物に係る絵画案内情報や、写真等の撮影条件情報、作者やモデルの音声情報などをいうものとする。この展示物に取り付けられた情報提供電子部品１１から、博物館や美術館に持参した情報読取表示器１２で展示情報を読取り、この展示情報を情報読取表示器１２で視聴するようにしたシステムである。当該展示物に関して情報利用者で更なる興味が有る場合には、その展示情報を情報読取表示器１２に読み込んだまま自宅や会社などに持ち帰りパソコン１５等に展示情報を転送して表示処理等を行うようになされる。
【０１５０】
図１７に示す展示情報提供システム６００において、博物館や美術館に並べられた絵画、写真・・・・等の全ての展示物２０４には、第１の実施例で説明した情報提供電子部品１１が取り付けられ、携帯用の情報読取表示器１２を使用してこの情報提供電子部品１１からその展示物２０４に関連した展示情報Ｄ06が電磁気的に読み取られ、データ形式で記録された展示情報Ｄ06がその場所又は自宅や会社などのパソコン１５などによって処理され、視聴可能な情報になされる。
【０１５１】
情報提供電子部品１１については、図４で説明した通りである。この情報提供電子部品１１には例えば、その展示物２０４の名称の他にその展示物２０４に係る絵画案内情報や、写真等の撮影条件情報、作者やモデルの音声情報などが記録される。この情報提供電子部品付きの展示物２０４が博物館や美術館に陳列される。これらの展示物２０４に関連した情報をユーザに提供するためである。
【０１５２】
この情報提供電子部品１１は情報提供者側で例えば、絵画や写真等の作品の展示物２０４のそばの題名掲示板２９等に取り付けられる。もちろん、情報提供電子部品１１は展示物２０４の額内部に取り付けてもよく、カード形式にして展示物２０４の題名掲示板２９に添付物として収納するようにしてもよい。情報提供電子部品１１の取り付け位置（存在）をアピールするために、その所在を示す表示が題名掲示板２９の表面に記載される。
【０１５３】
このシステム６００における情報提供電子部品１１への記録内容は上述した内容の他に例えば、当該展示物２０４の価格、作者名に係る情報、この展示物２０４に関する問い合わせ先の電話番号などが記録される。もちろん、この展示物２０４に関して更に詳細な情報を得たい情報利用者のために、電話番号などの他に情報提供者側の電子メールアドレスが情報提供電子部品１１に記録される。
【０１５４】
この展示情報提供システム６００でも情報読取機能付きの携帯端末装置として第１の実施例で説明した携帯用の情報読取表示器１２が使用される。この構成内容について第１の実施例で説明しているのでその説明を省略する。この例でも情報読取表示器１２と情報提供電子部品１１とが少なくとも電磁結合され、当該情報提供電子部品１１から電磁気的に展示情報Ｄ06が読み取られてデータ形式で記録するようになされる。
【０１５５】
この情報読取表示器１２は情報利用者が個々に所持するようになされる。情報読取表示器１２の取り扱い方法は、第１〜第５の実施例で説明したように、当該情報読取表示器１２を情報提供電子部品１１に近接させることにより、その情報提供電子部品１１から電磁気的に展示情報Ｄ06が読み取られる。
【０１５６】
この情報読取表示器１２には第１の実施例で説明したように不揮発性のメモリが内蔵され、情報提供電子部品１１から任意に読み取った展示物２０４の展示情報Ｄ06等が記録される。この展示情報Ｄ06は電源を切ってもメモリから消去されない。この例では展示情報Ｄ06が情報読取表示器１２によって処理され、視聴可能な形態の情報になされ、この展示情報Ｄ06を処理した情報がそのまま情報読取表示器１２の液晶表示素子などで表示され、その内容をその場で直に見たり聞いたりするようになされる。
【０１５７】
また、この例でも情報読取表示器１２のＵＳＢ端子１３と、自宅や会社のパソコン１５とが通信ケーブルを使用して接続される。そして、当該情報読取表示器１２で情報処理した内容や、そこで処理できなかった展示情報Ｄ06が通信処理などに供される。もちろん、視聴可能な形態に処理された情報をパソコン備え付けのＣＲＴで表示してもよい。また、展示情報Ｄ06から情報提供者側の電子メールアドレスを抽出し、その情報提供者側に対してパソコン１５を使用してインターネットに接続し、更なる詳しい情報を入手することもなされる。
【０１５８】
続いて、当該展示情報提供システム６００における処理例について説明をする。この例では、予め博物館や美術館に並べられた全ての展示物２０４の題名掲示板２９には情報提供電子部品１１が取り付けられ、携帯用の情報読取表示器１２を使用してこの情報提供電子部品１１からその展示物２０４に関連した展示情報Ｄ06等が電磁気的に読み取られ、データ形式で記録された展示情報Ｄ06が自宅や会社のパソコン１５などによって処理される場合を想定する。もちろん、情報利用者の各々は情報読取表示器１２を所持しているものとする。
【０１５９】
これを前提として、図１８に示すフローチャートのステップＧ１で情報利用者は、博物館や美術館に行き、展示物２０４に関して知りたい情報があるか否かを判断する。この際の判断は情報利用者である。展示物２０４に関して知りたい情報がある場合は、ステップＧ２に移行して、知りたい情報の展示物２０４毎に、その題名掲示板２９等に情報読取表示器１２を近づける。このとき、情報読取表示器１２と情報提供電子部品１１とが電磁結合状態になされる。
【０１６０】
そして、ステップＧ３に移行して、その展示物２０４の題名掲示板２９から展示情報Ｄ06が読取られてその情報読取表示器１２内に記憶される。これと共に、情報読取表示器１２を使用して展示情報Ｄ06が処理され、視聴可能な形態の情報がそのまま液晶表示素子などに表示され、その内容をその場で直に見たり聞いたりするようになされる。この情報読取表示器１２で博物館や美術館における自動案内機能を兼用させることができる。
【０１６１】
その後、ステップＧ４に移行して展示物２０４に関して知りたい情報が全て読み取れたか否かを判断する。この際の判断は情報利用者である。展示物２０４に関して知りたい情報が全て読み取れていない場合は、ステップＧ２に戻って知りたい情報の展示物２０４の題名掲示板２９に情報読取表示器１２を近づけ、上述と同様な処理を繰り返すようになされる。
【０１６２】
展示物２０４に関して知りたい情報が全て読み取れた場合はステップＧ５に移行して、自宅や会社で情報読取表示器１２とパソコン１５等とをリンクさせるかが判断される。この際の判断は情報利用者である。
【０１６３】
この情報読取表示器１２とパソコン１５等とをリンクさせる場合は、ステップＧ６に移行して、情報読取表示器１２のＵＳＢ端子１３とパソコン１５とを通信ケーブルを使用して接続し、当該情報読取表示器１２で情報処理した内容や、そこで処理できなかった展示情報Ｄ06がパソコン１５に読み出される。パソコン１５ではステップＧ７で視聴可能な形態に処理された情報、例えば、その展示物２０４の作者のプロフィール映像が備え付けのＣＲＴで表示されたり、また、展示情報Ｄ06から情報提供者側の電子メールアドレスが抽出され、その情報提供者側に対してインターネットを介在して更なる詳しい情報を入手するようになされる。
【０１６４】
このように、第６の実施例に係る展示情報提供システム６００によれば、展示物２０４に取り付けられた情報提供電子部品１１から、博物館や美術館に持参した情報読取表示器１２に展示情報Ｄ06を読取り、この展示情報Ｄ06を自宅のパソコン１５でも視聴することができる。
【０１６５】
しかも、展示物２０４が気に入って購入を希望する場合は、第２の実施例を組み合わせることにより、その展示物２０４の展示情報Ｄ06から著作権者に直接問い合わせ、その購入方法などの情報を入手することができる。展示物２０４は絵画や写真に限られることはなく、刀剣、彫刻や陶芸物のような著作物でもよい。これらの著作物などの題名掲示板２９に情報提供電子部品１１を取り付け、当該著作物の価格、作者名に係る情報、この著作物に関する問い合わせ先の電話番号などを記録し、これらの情報を情報利用者で容易に入手できるようになる。
【０１６６】
（８）第７の実施例
図１９は第７の実施例としての商品真偽判別システム７００の構成例を示すイメージ図である。
この例では、有体物２に関して著名商品に情報提供電子部品１１が取り付けられ、この情報提供電子部品１１に銘柄情報を記録し、当該商品の真偽が問題になったときに、この商品に取り付けられた情報提供電子部品１１から、情報読取表示器１２で銘柄情報を読取り、この銘柄情報を情報読取表示器１２から関係機関のパソコンに取り込んでその商品の真偽を判別するようにしたシステムである。銘柄情報とはその商品の名称の他にその商品に係るメーカー名や、メーカー固有の暗号情報、製造情報、品質検査情報などをいうものとする。
【０１６７】
図１９に示す商品真偽判別システム７００において、著名に至ったバッグや、カバン、靴・・・等の著名商品２０５に、第１の実施例で説明した情報提供電子部品１１が取り付けられ、当該商品の真偽が問題になったときに、情報読取表示器１２を使用してこの情報提供電子部品１１からその著名商品２０５に関連した銘柄情報Ｄ07が電磁気的に読み取られ、データ形式で記録された銘柄情報Ｄ07が関係機関等のパソコン８５によって判別処理するようになされる。
【０１６８】
情報提供電子部品１１については、図４で説明した通りである。この情報提供電子部品１１には例えば、その著名商品２０５の名称の他にそのメーカー名や、製造情報、品質検査情報、原産国などが記録される。情報提供電子部品１１は商品製造者側で例えば、ハンドバックや、カバン、靴などに仕込まれ、あるいは縫い込まれる。不正を防ぐために情報提供電子部品１１は外部から容易に見えないように内側に縫い込むとよい。
【０１６９】
この際に、最初から銘柄情報Ｄ07を記録した情報提供電子部品１１を真性商品に組み込んでもよいが、何も記録していない情報提供電子部品１１を真性商品に組み込んで置き、その後、出荷時に銘柄情報Ｄ07を専用の情報記録装置を使用して記録するようにしてもよい。
【０１７０】
また、情報提供電子部品１１は通常、四角形状に作成されるが、これに限られることはなく、仕込ませる領域部位に合致した最適な形状にしてよい。情報提供電子部品１１は図４に示したようにＩＣチップ１６とアンテナ体１７で構成され、このアンテナ体１７の形状は円形状でも楕円形状でもひょうたん形状でもよい。アンテナ体１７は自由に変形できることによる。この情報提供電子部品付きの著名商品２０５は国内で流通される他、例えば国外へ輸出され、又は国内へ輸入される。
【０１７１】
このシステム７００における情報提供電子部品１１への記録内容は上述した内容の他に例えば、当該商品２０５の価格、この商品２０５に関する問い合わせ先の電話番号などが記録される。もちろん、この商品２０５に関して更に詳細な情報を得たい情報利用者のために、電話番号などの他に商品製造者側の電子メールアドレスが情報提供電子部品１１に記録される。
【０１７２】
この商品真偽判別システム７００でも情報読取機能付きの携帯端末装置として第１の実施例で説明した携帯用の情報読取表示器１２が使用される。この構成内容については第１の実施例で説明しているので、その説明を省略する。この例でも情報読取表示器１２と情報提供電子部品１１とが少なくとも電磁結合され、当該情報提供電子部品１１から情報読取表示器１２へ電磁気的に銘柄情報Ｄ07が読み取られてデータ形式で記録するようになされる。
【０１７３】
この情報読取表示器１２は税関などの関係機関で個々に所持するようになされる。情報読取表示器１２の取り扱い方法は、第１〜第６の実施例で説明したように、当該情報読取表示器１２を情報提供電子部品１１に近接させることにより、その情報提供電子部品１１から電磁気的に銘柄情報Ｄ07が読み取られる。情報読取表示器１２には第１の実施例で説明したように不揮発性のメモリが内蔵され、情報提供電子部品１１から任意に読み取った商品２０５の銘柄情報Ｄ07等が記録される。この銘柄情報Ｄ07は電源を切ってもメモリから消去されない。
【０１７４】
この例では、情報読取表示器１２のＵＳＢ端子１３と、パソコン８５とが通信ケーブルを使用して接続される。そして、当該情報読取表示器１２からパソコン８５へ銘柄情報Ｄ07が転送され、この銘柄情報Ｄ07がパソコン８５で判別処理される。パソコン８５には期待値としての真性商品の銘柄情報Ｄ07が記録されている。パソコン８５では問題となった商品に関して情報読取表示器１２からの銘柄情報Ｄ07と期待値とを比較するようになされる。
【０１７５】
この比較結果で情報読取表示器１２による銘柄情報Ｄ07とパソコン８５の期待値とが一致した場合は、その商品は真性商品をみなすようになされる。情報読取表示器１２による銘柄情報Ｄ07とパソコン８５の期待値とが一致しない場合は、その商品は偽ブランド商品をみなすようになされる。
【０１７６】
一致しない場合としては、問題となった商品から銘柄情報Ｄ07が読み出せない場合、その商品から銘柄情報Ｄ07らしき情報が読み出せても、その内容が全くことなる場合が挙げられる。一部一致の場合は解析処理に移行される。これらの判別結果はパソコン備え付けのＣＲＴで表示される。なお、銘柄情報Ｄ07を情報読取表示器１２によって視聴可能な形態の情報に処理し、ここで処理した情報をそのまま情報読取表示器１２の液晶表示素子などに表示してもよい。輸出入チェック時にその内容をその場で直に確認することができる。
【０１７７】
続いて、当該商品真偽判別システム７００における処理例について説明をする。この例では、著名商品２０５には情報提供電子部品１１が取り付けられ、情報読取表示器１２を使用してこの情報提供電子部品１１からその商品２０５に関連した銘柄情報Ｄ07等が電磁気的に読み取られ、データ形式で記録された銘柄情報Ｄ07が関係機関のパソコン８５などによって判別処理される場合を想定する。もちろん、真偽検査者は情報読取表示器１２を所持しているものとする。
【０１７８】
これを前提として、図２０に示すフローチャートのステップＨ１で関係機関では、例えば原産地国ではない国から輸入された商品が、どうも偽ブランド商品らしい情報を得たとき、その商品の真偽を判定するか否かが判断される。この際の判断は税関等の関係機関である。その商品の真偽判別が「必要有り」と判断された場合は、ステップＨ２に移行して、対象となった全ての輸入商品（以下で対象商品という）毎に、情報読取表示器１２を近づける。このとき、対象商品が真性商品（著名商品）２０５であれば情報読取表示器１２と情報提供電子部品１１とが電磁結合状態になされる。
【０１７９】
そして、ステップＨ３に移行して、その著名商品２０５の情報提供電子部品１１から銘柄情報Ｄ07が読取られてその情報読取表示器１２内に記憶される。このとき、情報読取表示器１２の表示機能を利用して銘柄情報Ｄ07が判別処理され、視聴可能な形態の情報がそのまま液晶表示素子などに表示され、その内容をその場で直に見られるようになされる。
【０１８０】
その後、ステップＨ４に移行して対象商品に関して全て銘柄情報Ｄ07が読み取れたか否かが判断される。この際の判断は真偽検査者である。対象商品に関して銘柄情報Ｄ07が全て読み取れていない場合は、ステップＨ２に戻って銘柄情報Ｄ07の商品２０５の情報読取表示器１２を近づけ、上述と同様な処理を繰り返すようになされる。
【０１８１】
これらの対象商品の銘柄情報Ｄ07が全て読み取れた場合はステップＨ５に移行して、情報読取表示器１２のＵＳＢ端子１３とパソコン８５とを通信ケーブルを使用して接続し、当該情報読取表示器１２で情報処理した内容や、そこで処理できなかった銘柄情報Ｄ07がパソコン８５に読み出される。そして、ステップＨ６でパソコン８５により、例えば、対象商品に関して情報読取表示器１２からの銘柄情報Ｄ07と期待値とを比較するようになされる。
【０１８２】
この比較結果で情報読取表示器１２による銘柄情報Ｄ07とパソコン８５の期待値とが一致した場合は、その商品は真性商品をみなすようになされる。情報読取表示器１２による銘柄情報Ｄ07とパソコン８５の期待値とが一致しない場合は、その商品は偽ブランド商品をみなすようになされる。一部一致の場合は、メーカー固有の暗号情報が異なる場合もあるので、解析処理に移行される。これらの判別結果はパソコン備え付けのＣＲＴで表示される。
【０１８３】
このように、第７の実施例に係る商品真偽判別システム７００によれば、著名商品２０５に取り付けられた情報提供電子部品１１から情報読取表示器１２へ銘柄情報Ｄ07を読取り、この銘柄情報Ｄ07を関係機関のパソコン８５で判別処理することができる。
【０１８４】
従って、偽ブランド商品の国内流通を水際で阻止することができる。真性商品を保護及び保証することができる。情報提供電子部品１１により偽物の摘発を容易にできるばかりか、情報提供電子部品１１に基づいた顧客管理や、真性商品の履歴管理を行うことができる。情報提供電子部品１１を当該著名商品の保証書的に使用することができる。
【０１８５】
この例では情報読取表示器１２に関して携帯型の場合を例に挙げたが、これに限られることはなく、情報読取機能とパソコン８５のデータ処理機能を有した専用の据え置き型の偽造判別装置を構成することもできる。銘柄情報Ｄ07に関してはその商品の名称や、メーカー名、暗号情報、製造情報、品質検査情報などに限られることはなく、シリアル番号、発売場所情報などを含めてもよい。
【０１８６】
（９）第８の実施例
図２１は第８の実施例としての情報処理システム８００の構成例を示すイメージ図である。
この情報処理システム８００では、情報提供媒体１として白黒のバーコード２１が任意の有体物２に設けられ、当該有体物２に関連した情報Ｄ08を光学的に提供するようになされる。なお、第１の実施例と同じ符号のものは同じ機能を有するためその説明を省略する。図２１に示す情報処理システム８００には光学的に情報が読出し可能な情報提供媒体１として白黒のバーコード２１が設けられる。このバーコード２１は情報提供者側で任意の有体物２に設けられる。例えば、駅のコンコースや、車内、映画館、街頭案内板などに貼られた任意の広告物２０１に白黒のバーコード２１が貼付される。
【０１８７】
この例で、バーコード２１は有体物２の表面に貼り付けられる。もちろん、バーコード２１の取り付け位置（存在）をアピールするために、その部分を強調する表示をしてもよい。バーコード２１は貼付方法に限定されることなはく、有体物２が商品＃ｉのような場合、その包装物などに同時に刷り込んでもよい。
【０１８８】
このバーコード２１への記録内容は、当該有体物２に関連した情報Ｄ08が格納されるが、第１〜第７の実施例に比べて情報量が少ない。例えば、有体物２が催し物に関連した場合に、その有体物２の表面に記載される、日時、場所、入場料金、交通案内、問い合わせ先などの中で、問い合わせ又は電子メールアドレスなどの情報Ｄ08がバーコード２１に記録される。
【０１８９】
この情報処理システム８００では携帯用の光学式の情報読取表示器２２が使用され、少なくとも、バーコード２１から光学的に情報を読み取ってデータ形式で記録される。この情報読取表示器２２は情報利用者が個々に所持するようになされる。この例では、情報読取表示器２２をバーコード２１上に走査することにより、そのバーコード２１から光学的に情報Ｄ08が読み取られる。
【０１９０】
この情報読取表示器２２には第１の実施例と同様にして不揮発性の記憶手段の一例となるフラッシュメモリ４２が設けられ、バーコード２１から任意に読み取った情報Ｄ08が記録される。この情報読取表示器２２にはＵＳＢ端子１３が設けられ、このＵＳＢ端子１３や、図示しない通信ケーブルを使用してパソコン１５が接続され、データ形式で記録された情報Ｄ08が視聴可能な形態に処理される。
【０１９１】
この光学式の情報読取表示器２２は、例えば、図２２に示す光学センサの一例となるバーコード用の読取ユニット２３を有している。読取ユニット２３には発光部２４が設けられ、ビーム状のレーザー光がなどが発射される。この発光部２４に隣接して受光部２５が設けられ、レーザー光を例えば白黒のバーコード２１に照射したときに、その白パターンから反射される反射光が受光される。
【０１９２】
この受光部２５にはＳＰＵ（シグナルプロセスユニット）２８が接続され、白黒のバーコード２１を読み取って得た光学検出信号がデジタル処理され、その有体物２に係る問い合わせ又は電子メールアドレスなどの情報Ｄ08がデコードされる。このデコード結果はＳＰＵ２８内のＲＡＭや外付けのフラッシュメモリ４２などに記憶される。このＳＰＵ２８に関しては、図示しないＣＰＵ（中央演算装置）が設けられ、視聴可能な形態に情報Ｄ08が処理され、そのまま液晶ディスプレイ５５に表示され、その内容をその場で見られるようになされる。
【０１９３】
この例では、読取ユニット用の走査駆動部２６が設けられ、情報読取表示器２２をバーコード２１に近接させた状態で、そのバーコード２１上に読取ユニット２３を走査できるようになされている。もちろん、情報読取表示器２２のコンパクト化から走査駆動部２６を設けるスペースが無い場合には、発光部２４及び受光部２５とが所定の角度を持って情報読取表示器２２内に配置及び固定される。情報利用者は一定速度でそのバーコード２１上をトレースするように情報読取表示器２２が走査される。これにより、光学的に情報Ｄ08を読み取ることができる。
【０１９４】
なお、読取ユニット２３、走査駆動部２６、ＳＰＵ２８、入力ツール５４、液晶ディスプレイ５５には電源＆制御部２７が接続され、ＤＣ電源が供給される。電源には乾電池や充電式のバッテリーが使用される。
【０１９５】
このように、第８の実施例に係る情報処理システム８００によれば、情報提供者側で任意の有体物２に、光学的に読取可能な白黒のバーコード２１が取り付けられる。情報利用者側では、必要に応じ携帯用の光学式の情報読取表示器２２を使用してそのバーコード２１から光学的に情報Ｄ08が読み取られて記録される。その後、情報読取表示器２２から読み出した情報Ｄ08がパソコン１５などによって視聴可能な形態に処理される。
【０１９６】
従って、有体物２をじっくりと見ていられないような場合でも、情報量は少ないが、第１の実施例と同様にして、その有体物２に関連した住所や連絡先などの情報Ｄ08を筆記により写し撮らなくても、その情報Ｄ08を一瞬にして情報読取表示器２２内に記憶することができるので、家に帰って情報読取表示器２２からパソコン１５へその情報Ｄ08を読み出して、ゆっくりと、その有体物２に関連した情報Ｄ08をパソコン１５で見たり、その企業へ直接インターネットを通じてアクセスすることができる。
【０１９７】
また、本発明に係る白黒のバーコード２１によれば、第１〜第７の実施例と同様にして光学式の情報読取表示器２２により自由に何回でも、有体物２に関連した情報Ｄ08を読み取ることができる。また、第１の実施例と同様にして大量のチラシを配布するがごとく、その情報Ｄ08を大衆に伝達することができる。しかも、第１の実施例と同様にして予めチラシなどを準備する必要がなく、そのチラシが無法に街に捨てられることがないので、街の美化につながる。
【０１９８】
この例では、情報提供媒体に関して白黒のバーコード２１の場合について説明したがこれに限られることはなく、白黒のパッチを市松模様状あるいは歯抜け状に施した二次元コードであってもよい。
【０１９９】
（１０）第９の実施例
図２３は第９の実施例としての情報処理システム９００の構成例を示すイメージ図である。
この例では、情報提供媒体１として磁気テープ３１が有体物２に設けられ、当該有体物２に関連した情報Ｄ09を磁気的に提供するようになされる。なお、第１の実施例と同じ符号のものは同じ機能を有するためその説明を省略する。図２３に示す情報処理システム９００には磁気的に情報が読出し可能なシート状の磁気テープ（磁気情報シート）３１が設けられる。この磁気テープ３１は情報提供者側で任意の有体物２に設けられる。例えば、駅のコンコースや、車内、映画館、街頭案内板などに貼られた任意の広告物にシート状の磁気テープ３１が貼付される。この磁気テープ３１に関しては、もちろん、磁気カードのように樹脂基材に形成したものを使用してもよい。
【０２００】
この例で、磁気テープ３１は有体物２の表面に貼り付けられる。もちろん、磁気テープ３１の取り付け位置（存在）をアピールするために、その部分を強調する表示をしてもよい。この磁気テープ３１への記録内容としては、当該有体物２に関連した情報Ｄ09が格納される。例えば、第１の実施例と同様にして、有体物２が催し物に関連した広告物の場合に、その広告部の表面に記載される、日時、場所、入場料金、交通案内、問い合わせ先、電子メールアドレスなどの情報Ｄ09が磁気テープ３１に記録される。
【０２０１】
この情報処理システム３００では携帯用の磁気式の情報読取表示器３２が使用され、少なくとも、磁気テープ３１から磁気的に情報Ｄ09を読み取ってデータ形式で記録される。この情報読取表示器３２は情報利用者が個々に所持するようになされる。この例では、情報読取表示器３２を磁気テープ３１上に走査することにより、その磁気テープ３１から磁気的に情報Ｄ09が読み取られる。
【０２０２】
この情報読取表示器３２には第１の実施例と同様にして不揮発性の記憶手段の一例となるフラッシュメモリ４２が設けられ、磁気テープ３１から任意に読み取った情報Ｄ09が記録される。この情報読取表示器３２にはＵＳＢ端子１３が設けられ、このＵＳＢ端子１３や、図示しない通信ケーブルを使用してパソコン１５が接続され、データ形式で記録された情報Ｄ09が視聴可能な形態に処理される。
【０２０３】
この磁気式の情報読取表示器３２は、例えば、図２４に示す磁気センサ２３を有している。磁気センサ３３には図示しない磁気ヘッドが設けられ、シート状の磁気テープ３１上に磁気センサ３３を走査したときに、その磁気テープ３１から情報Ｄ09が再生される。この例では、情報利用者は一定速度でその磁気テープ３１上をトレースするように情報読取表示器３２が走査される。これにより、磁気的に情報Ｄ09を読み取ることができる。
【０２０４】
この磁気センサ３３にはＳＰＵ（シグナルプロセスユニット）３８が接続され、磁気テープ３１を読み取って得た磁気検出信号がデジタル処理され、その有体物２に係る情報Ｄ09がデコードされる。このデコード結果はＳＰＵ３８内のＲＡＭや外付けのフラッシュメモリ４２などに記憶される。このＳＰＵ３８に関しては、図示しないＣＰＵ（中央演算装置）が設けられ、視聴可能な形態に情報Ｄ09が処理され、そのまま液晶ディスプレイ５５に表示され、その内容をその場で見られるようになされる。なお、磁気センサ３３、ＳＰＵ３８、入力ツール５４、液晶ディスプレイ５５には電源＆制御部３７が接続され、ＤＣ電源が供給される。電源には乾電池や充電式のバッテリーが使用される。
【０２０５】
このように、第９の実施例に係る情報処理システム９００によれば、情報提供者側で任意の有体物２に、磁気的に情報Ｄ09の読取可能なシート状の磁気テープ３１が取り付けられる。情報利用者側では、必要に応じ携帯用の磁気式の情報読取表示器３２を使用してその磁気テープ３１から磁気的に情報Ｄ09が読み取られて記録される。その後、情報読取表示器３２から読み出した情報Ｄ09がパソコン１５などによって視聴可能な形態に処理される。
【０２０６】
従って、有体物２をじっくりと見ていられないような場合でも、第１及び第２の実施例と同様にして、その有体物２に関連した住所や連絡先などの情報Ｄ09を筆記により写し撮らなくても、その情報Ｄ09を一瞬にして情報読取表示器３２内に記憶することができる。これにより、処理能力の高い情報読取表示器３２の場合には、その場で液晶ディスプレイ５５に情報Ｄ09が表示され、処理能力の低い情報読取表示器３２の場合でも、パソコン１５を接続して、その情報Ｄ09を情報読取表示器３２からパソコン１５へ読み出して、ゆっくりと、その有体物２に関連した情報Ｄ09をパソコン備え付きのディスプレイで見たり、その企業へ直接インターネットを通じてアクセスすることができる。
【０２０７】
また、本発明に係る磁気テープ３１によれば、第１〜第８の実施例と同様にして磁気式の情報読取表示器３２により自由に何回でも、有体物２に関連した情報Ｄ09を読み取ることができる。また、第１の実施例と同様にして大量のチラシを配布するがごとく、その情報Ｄ09を大衆に伝達することができる。しかも、第１の実施例と同様にして予めチラシなどを準備する必要がなく、そのチラシが無法に街に捨てられることがないので、街の美化につながる。
【０２０８】
（１１）第１０の実施例
図２５Ａ及びＢは第１０の実施例に係る情報読取機能付きの携帯電話機４０１の構成例を示す概念図である。図２６はその内部構成例を示すブロック図である。
【０２０９】
この例では、携帯電話機に情報読取機能を設け、任意の有体物２に取り付けられた情報提供媒体１から当該情報読取機能を使用してその有体物２に関連した情報を電磁気的に読み取り、データ形式で記録された情報を視聴可能な形態に処理して、備え付けの液晶表示素子、あるいは、当該携帯電話機４０１をパソコン１５などに接続して情報を表示できるようにしたものである。
【０２１０】
図２５Ａに示す携帯電話機４０１は、例えば図３に示したような広告物２０１に取り付けられた情報提供電子部品１１から情報を読み出して処理する電話機である。携帯電話機４０１には蓋体４０が電話機本体部５０の全体又はその一部を覆うように係合されている。この蓋体４０には送話器（マイク）７２が設けられる他に、情報読取手段を構成する、図２５Ｂに示すループ状のアンテナ体５２が設けられ、このアンテナ体５２の他に変復調回路用のＩＣ５１’及び高周波発生回路用のＩＣ５８’が設けられており、図示しない有体物２に取り付けられた当該情報提供電子部品１１との間で通信ができるようになされている。このアンテナ体５２は第１の実施例で説明したような３回巻き程度のアンテナパターンから成る。
【０２１１】
図２５Ａに示す携帯電話機４０１のアンテナ体５２と先述の図４に示した情報提供電子部品１１のアンテナ体１７とは電磁結合され、電気的に非接触な状態で使用される。電話機本体部５０にはテンキー８０が設けられている。テンキー８０は数字の「０」キー（Ｋ０）〜「９」キー（Ｋ９）、記号の「＃」キー（Ｋ＃）、「＊」キー（Ｋ＊）から成り、オペレータによって操作するようになされる。
【０２１２】
図２６において、上述のアンテナ体５２には情報読取手段を構成する変復調回路５１が接続されている。情報読取手段は少なくとも、情報書込み読出し用のＩＣ回路５１’を構成する変復調回路５１及びアンテナ体５２を有しており、図示しない情報提供電子部品１１から有体物２に関連した情報を読み出すようになされる。例えば、当該情報提供電子部品１１から送られてきた変調波が変復調回路５１によりその復調機能を使用して復調される。情報提供電子部品１１から当該携帯電話機４０１で読み取った、有体物２に関連した情報のデータ列が復調される。
【０２１３】
この変復調回路５１には高周波発生回路５８が接続され、周波数１３．５６ＭHzの搬送波信号が発生される。この搬送波信号は図６で説明したように変復調回路５１から情報提供電子部品１１への電磁界エネルギーとして利用される。この変復調回路５１にはシステムバス６０が接続される。システムバス６０にはＣＰＵ４９が接続され、所定の制御プログラムに基づいて復調後の情報の表示制御を行なったり、通常の電話機能に係る発呼及び着呼制御が行われる。
【０２１４】
このシステムバス６０にはキー入力インタフェース６７が接続され、当該インタフェース６７には電話機本体部５０に設けられたテンキー８０が接続されている。テンキー８０による操作入力によってＣＰＵ４９に司令が与えられる。例えば、特定のテンキーＫ＊を数回押下すると、情報読取表示モード又は通常の電話機モードのいずれかを選択できるようになされている。
【０２１５】
ここで、情報読取表示モードとは情報提供電子部品１１にこの携帯電話機４０１の蓋体４０を重ね合わせて情報を読み取る機能をいい、通常の電話機モードとは情報読取表示モード以外の通常の電話機能をいうものとする。情報読取表示モードが設定されると、例えば、キーＫ＃を押下すると、情報の読取が開始される。情報を全部読み取った時点で終了表示をするとよい。情報の読取が終了したらキーＫ＊を１回押下すると電話機モードに戻るような操作がなされる。電話機モードでは、テンキーＫ１，Ｋ２・・・Ｋ０などを操作すると、相手方の電話番号に係るキーデータＤ１が入力できるようになされている。
【０２１６】
この携帯電話機４０１にはジョグダイアル６５が設けられており、このジョグダイアル６５は入力インタフェース４６を通してシステムバス６０に接続され、相手方の電話番号の検索の他に、情報提供電子部品１１から読み取った情報などの検索に使用される。この例では、ジョグダイアル６５を操作すると表示指示データＤ６を発生するようになされる。
【０２１７】
このシステムバス６０には更にディスプレイコントローラ４４及びビデオＲＡＭ４５が接続され、このディスプレイコントローラ４４には数十×数百画素程度の液晶ディスプレイ６６が接続されている。このビデオＲＡＭ４５には、変復調回路５１から出力された復調後の情報や、キー入力インタフェース６７から出力されるキーデータＤ１、表示内容データＤ２が一時記憶される。
【０２１８】
ディスプレイコントローラ４４では、ビデオＲＡＭ４５から情報や、キーデータＤ１、表示内容データＤ２を読み出し、これらの情報又はデータに基づいて液晶ディスプレイ６６の表示制御が行われる。例えば、液晶ディスプレイ６６の表示画面上で情報提供電子部品１１から読み取った情報リストや、相手方の電話番号リストを上下に検索する場合などにおいて、これらのリストをジョグダイヤル６５の操作によって発生した表示指示データＤ６に基づいてその表示画面上で下方から上方へ移動するようにディスプレイコントローラ４４によって液晶ディスプレイ６６が表示制御される。
【０２１９】
この例では、ジョグダイアル６５が回転された方向に表示画面上の表示内容を移動するようにディスプレイコントローラ４４によって表示制御され、情報提供電子部品１１から読み出した情報を液晶ディスプレイ６６に表示して確認することができる。
【０２２０】
この他に、システムバス６０にはＲＯＭ４１が接続され、電話機モード及び情報読取表示モードを制御するための制御プログラムなどが格納される。システムバス６０には不揮発性の記憶手段の一例となる、フラッシュメモリ４２が接続され、情報読取手段により読み出された情報を記憶するようになされる。その他に、ユーザの自局の電話番号（ＩＤ番号）などが記録される。このシステムバス６０にはワーキング用のＤＲＡＭ４３が接続され、復調後の情報、キーデータＤ１、インターネット情報Ｄ３や、表示画面の内容を移動指示するための表示指示データＤ６などが一時記録される。
【０２２１】
システムバス６０にはバックアップＲＡＭ（不揮発性メモリ）４７が接続される。バックアップＲＡＭ４７にはバックアップ電池Ｅが接続される。バックアップＲＡＭ４７とバックアップ電池Ｅを共用するタイマ４８には水晶発振素子４８Ａが接続され、年、日時などの時刻データＤ５が出力される。
【０２２２】
また、システムバス６０には送受信情報処理部７１が接続される。送受信情報処理部７１には送話器としてのマイクロフォン７２が接続され、ＣＰＵ４９からの送受処理データＤ７に基づいてユーザ自身の音声が収録された後に、送受信情報処理部７１で増幅などの処理が行われてＲＦ処理部７３に出力される。ＲＦ処理部７３ではユーザの音声が無線周波数の信号に変換され、無線電波となってアンテナ７７から輻射される。
【０２２３】
このアンテナ７７で受信した相手方の無線電波はＲＦ処理部７３で音声周波数の信号に復調された後に、送受信情報処理部７１で増幅などの処理が行われて受話器としてのスピーカ５４に出力される。これにより、ユーザは相手方と交信することができる。
【０２２４】
また、ペン入力をするために、システムバス６０にタッチパネルインタフェース７５を設けてもよい。この場合には、液晶ディスプレイ６６の画面上にタッチパネル７８を構成する必要がある。更に、この例では、システムバス６０に外部装置用のＵＳＢ端子１３や、各々にソケット７９Ａ，８１Ａを有したＩＣカードインタフェース７９及び外部機器インタフェース８１が接続され、外付けのパソコンや、外付けのＩＣカード、通信モデムを使用した情報処理が拡張できるようになされている。
【０２２５】
もちろん、これらの機能処理回路には電源部８３が接続されており、電源スイッチＳＷをオンした後に、相手方の電話回線と接続するための操作が行われる。相手方からの呼出音は電源スイッチＳＷをオンしていなくても、バックアップ電池Ｅにより鳴動するようになっている。
【０２２６】
続いて、第１０の実施例に係る情報読取機能付きの携帯電話機４０１における処理例について説明する。
【０２２７】
この例では、携帯電話機には情報読取機能を実現する、少なくとも、変復調回路５１，アンテナ体５２、高周波発生回路５８及びＵＳＢ端子１３が設けられ、任意の有体物２に取り付けられた情報提供電子部品１１から当該情報読取機能を使用してその有体物２に関連した情報を電磁気的に読み取り、データ形式で記録された情報を当該携帯電話機内部で視聴可能な形態に処理し、又は、外付けのパソコン１５などで処理する場合を想定する。
【０２２８】
これを前提として、図１に示した有体物２の情報提供電子部品１１から情報を読み取る場合に、まず、電話機本体部５０から蓋体４０を開く。次いで、特定のキーＫ＊などを数回押下して情報読取表示モードを設定する。これにより、ＲＯＭ４１からＣＰＵ４９へ情報読取表示モードに係る制御プログラムが読み出され、当該モードが実行される。その後、携帯電話機４０１の蓋体４０と情報提供電子部品１１とを重ね合わるように近づける。この際に、ぴったりと双方を接触させる必要はなく、電磁界エネルギーの強さにもよるが、例えば、１０ｃｍ以内に近づけることにより、電磁結合状態になされる。
【０２２９】
この状態で、キーＫ＃を押下すると、情報の読取が開始される。携帯電話機内部では高周波発生回路により１３．５６ＭHzの搬送波信号が発生され、変復調回路５１を通してアンテナ体５２に出力される。この搬送波信号は変復調回路５１で復調のために使用される他に、情報提供電子部品１１への電源として使用される。この電源によって活性化した情報提供電子部品１１から当該携帯電話機４０１へ送られてきた変調波は、その変復調回路５２の復調機能を使用して復調される。例えば、情報提供電子部品１１から当該携帯電話機４０１へ送られてきた、有体物２に関連した情報のデータ列が復調される。この復調後の情報はフラッシュメモリ４２，ＤＲＡＭ４７又はＶ−ＲＡＭ４５に一時記憶される。もちろん、情報の読取り終了フラグ検出などがなされ、この情報を全部読み取った時点で液晶ディスプレイ６６に終了表示などをするとよい。情報の読取が終了したらキーＫ＊を１回押下すると電話機モードに戻るような操作がなされる。
【０２３０】
１．  その場で情報の内容を見る場合
この携帯電話機４０１には相手方の電話番号の検索の他に、情報提供電子部品１１から読み取った情報などがジョグダイアル６５を使用して検索できるようになされる。もちろん、情報はＣＰＵ４９及びビデオＲＡＭ４５によって視聴可能な形態に処理される。例えば、情報がキャラクタ文字や記号に変換された後に画像データとなる。そして、相手方の電話番号の検索の場合と同様にして、ジョグダイアル６５を操作し、入力インタフェース４６及びシステムバス６０を通して、ディスプレイコントローラ４４やＶ−ＲＡＭ４５へ表示指示データＤ６を出力する。
【０２３１】
このディスプレイコントローラ４４には、数十×数百画素程度の液晶ディスプレイ６６が接続されているので、ビデオＲＡＭ４５から処理後の画像データ（情報）や、キー入力インタフェース６７から出力されるキーデータＤ１、表示内容データＤ２に基づいて表示制御を行うようになされる。例えば、液晶ディスプレイ６６の表示画面上で情報提供電子部品１１から読み取った情報による画像データが表示されるので、その内容をその場で確認することができる。
【０２３２】
このとき、過去の情報が履歴情報としてリスト上に残存していれば、これらの情報リストをジョグダイヤル６５の操作によって検索することができる。これにより、駅のコンコースに貼られた広告物等の有体物２から当該携帯電話機４０１の情報読取表示機能を使用して情報を読み取り、それを車内で液晶ディスプレイ６６に表示して、ゆっくりと見ることができる。
【０２３３】
２．  外付けの情報処理装置で情報を確認する場合
例えば、家に戻って当該携帯電話機４０１とパソコン１５とをＵＳＢ端子１３及び通信ケーブルを使用して接続し、この携帯電話機４０１から情報が読み出される。その有体物２に関連した情報がパソコン備え付きのディスプレイに表示される。
【０２３４】
従って、第１〜第９の実施例で説明した専用の情報読取表示器１２，２２，３２に依存することなく、当該情報読取表示機能付きの携帯電話機４０１で、その有体物２に関連した住所や連絡先などの情報を一瞬にして携帯電話機内のフラッシュメモリ４２等に記録することができる。
【０２３５】
しかも、フラッシュメモリ４２から読み出した有体物２に関連した情報をいつでも電話機能を利用して処理することができる。これにより、知人にその情報を早期に転送することができるし、その情報を筆記により写し撮らなくても、その場で、又は、場所を変えて当該携帯電話機４０１からパソコン１５などへその情報を読み出して、ゆっくりと、その有体物２に関連した情報を液晶ディスプレイ６６上などで見たり、その有体物２の企業などへ直接インターネットを通じて入場チケットなどの予約又は購入をすることができる。
【０２３６】
この携帯電話機４０１によれば、データ形式の情報を取得することができるので、再度その有体物２の掲載場所に赴かなくても、その有体物２の情報を携帯電話機４０１上で何回も見直すことができる。電子メモ機能付き携帯電話機４０１などを提供することができる。
【符号の説明】
【０２３７】
１・・・情報提供媒体、２・・・有体物、３・・・情報読取手段、４・・・不揮発性の記憶手段、５・・・情報処理装置、６・・・表示手段、１０，８００，９００・・・情報処理システム、１１・・・情報提供電子部品、１２，２２，３２・・・情報読取表示器（携帯端末装置）、１３・・・ＵＳＢ端子、１５、３５，８５・・・パソコン（情報処理装置）、１６・・・ＩＣチップ、１７，５２・・・アンテナ体、２８，３８，５３・・・ＳＰＵ（情報処理装置）、３０・・・携帯端末装置、４９・・・ＣＰＵ（情報処理装置）、５５，６６・・・液晶ディスプレイ、１００・・・電子広告システム、２００・・・商品販売システム、３００・・・商品情報提供システム、４００・・・食品情報提供システム、４０１・・・情報読取表示機能付きの携帯電話機、５００・・・記録メディア情報提供システム、６００・・・展示情報提供システム、７００・・・商品真偽判別システム
【図１】
2010238252.tif 000003
【図２】
2010238252.tif 000004
【図３】
2010238252.tif 000005
【図４】
2010238252.tif 000006
【図５】
2010238252.tif 000007
【図６】
2010238252.tif 000008
【図７】
2010238252.tif 000009
【図８】
2010238252.tif 000010
【図９】
2010238252.tif 000011
【図１０】
2010238252.tif 000012
【図１１】
2010238252.tif 000013
【図１２】
2010238252.tif 000014
【図１３】
2010238252.tif 000015
【図１４】
2010238252.tif 000016
【図１５】
2010238252.tif 000017
【図１６】
2010238252.tif 000018
【図１７】
2010238252.tif 000019
【図１８】
2010238252.tif 000020
【図１９】
2010238252.tif 000021
【図２０】
2010238252.tif 000022
【図２１】
2010238252.tif 000023
【図２２】
2010238252.tif 000024
【図２３】
2010238252.tif 000025
【図２４】
2010238252.tif 000026
【図２５】
2010238252.tif 000027
【図２６】
2010238252.tif 000028